(57)【要約】  暖房デフロスト同時運転における暖房能力の低下を抑えることができる冷凍サイクル装置を提供する。  制御装置は、複数の並列熱交換器(50-11,50-12,50-21,50-22)のうちの一部の並列熱交換器(50-12,50-22)に、圧縮機(1-1,1-2)から吐出された冷媒の一部をデフロスト回路(15-1,15-2)を介して供給するとともに、他の並列熱交換器(50-11,50-21)を蒸発器として動作させる第１の暖房デフロスト同時運転と、複数の熱源機のうちの一部の熱源機(A-2)において、複数の並列熱交換器のうちの全ての並列熱交換器(50-21,50-22)に、圧縮機から吐出された冷媒をデフロスト回路を介して供給するとともに、他の熱源機(A-1)において、複数の並列熱交換器のうちの全ての並列熱交換器(50-11,50-12)を蒸発器として動作させる第２の暖房デフロスト同時運転と、を切り替えて実行する。
2017006596.tif 000002
【特許請求の範囲】
【請求項１】
冷媒を循環させる主回路と、  前記主回路において互いに並列に接続された複数の熱源機と、  前記複数の熱源機を制御する制御装置と、  を備え、  前記複数の熱源機のそれぞれは、  冷媒を圧縮して吐出する圧縮機と、  少なくとも蒸発器として動作し、冷媒の流れにおいて互いに並列に接続された複数の並列熱交換器と、  前記圧縮機から吐出された冷媒の逆流を阻止する逆止弁と、  前記圧縮機から吐出された冷媒を前記逆止弁よりも上流側で分岐させ、前記複数の並列熱交換器のうちの少なくとも一部の並列熱交換器に供給するデフロスト回路と、  前記複数の並列熱交換器を通る冷媒の流路を切り替える第１流路切替装置と、  を有しており、  前記制御装置は、  前記複数の熱源機のうちの少なくとも一部の熱源機において、前記複数の並列熱交換器のうちの一部の並列熱交換器に、前記圧縮機から吐出された冷媒の一部を前記デフロスト回路を介して供給するとともに、前記複数の並列熱交換器のうちの他の並列熱交換器を蒸発器として動作させる第１の暖房デフロスト同時運転と、  前記複数の熱源機のうちの一部の熱源機において、前記複数の並列熱交換器のうちの全ての並列熱交換器に、前記圧縮機から吐出された冷媒を前記デフロスト回路を介して供給するとともに、前記複数の熱源機のうちの他の熱源機において、前記複数の並列熱交換器のうちの全ての並列熱交換器を蒸発器として動作させて暖房を継続し、前記複数の熱源機のうちの一部の熱源機における前記圧縮機の吸入圧力が、前記複数の熱源機のうちの他の熱源機における前記圧縮機の吸入圧力よりも高くなるように運転する第２の暖房デフロスト同時運転と、  を切り替えて実行するものである冷凍サイクル装置。
【請求項２】
前記制御装置は、外気温度に基づいて、前記第１の暖房デフロスト同時運転又は前記第２の暖房デフロスト同時運転のいずれかを選択するものである請求項１に記載の冷凍サイクル装置。
【請求項３】
前記制御装置は、前記外気温度が予め設定された閾値温度以上である場合には前記第１の暖房デフロスト同時運転を選択し、前記外気温度が前記閾値温度よりも低い場合には前記第２の暖房デフロスト同時運転を選択するものである請求項２に記載の冷凍サイクル装置。
【請求項４】
前記複数の熱源機のそれぞれは、  前記デフロスト回路に設けられ、前記圧縮機から吐出された冷媒が前記少なくとも一部の並列熱交換器に供給される前に当該冷媒を減圧する第１絞り装置と、  前記第１の暖房デフロスト同時運転において、前記一部の並列熱交換器から流出した冷媒が前記主回路に戻る前に当該冷媒をさらに減圧する第２絞り装置と、  をさらに有する請求項１〜請求項３のいずれか一項に記載の冷凍サイクル装置。
【請求項５】
前記第１の暖房デフロスト同時運転及び前記第２の暖房デフロスト同時運転のいずれにおいても、デフロストが行われる前記並列熱交換器には、前記圧縮機から吐出された冷媒が前記第１絞り装置を介して流入する請求項４に記載の冷凍サイクル装置。
【請求項６】
前記第２の暖房デフロスト同時運転において、前記一部の熱源機の前記デフロスト回路は、前記逆止弁及び前記第１流路切替装置によって前記他の熱源機の前記主回路から切り離されており、  前記第２の暖房デフロスト同時運転において、前記一部の熱源機の前記圧縮機から吐出された冷媒は、前記第１絞り装置で減圧された後に前記全ての並列熱交換器に供給される請求項４又は請求項５に記載の冷凍サイクル装置。
【請求項７】
前記第２の暖房デフロスト同時運転において、前記制御装置は、前記一部の熱源機の前記圧縮機の吐出圧力を前記他の熱源機の前記圧縮機の吐出圧力よりも低く制御するものである請求項６に記載の冷凍サイクル装置。
【請求項８】
前記第１流路切替装置は、前記第２絞り装置を含んでおり、  前記第２の暖房デフロスト同時運転では、前記第２絞り装置が閉止される請求項６又は請求項７に記載の冷凍サイクル装置。
【請求項９】
前記第２の暖房デフロスト同時運転において、前記制御装置は、前記一部の熱源機の前記圧縮機の吸入スーパーヒートが予め設定された閾値よりも大きくなった場合、前記他の熱源機の前記主回路から前記一部の熱源機の前記デフロスト回路に液冷媒を戻す制御を行うものである請求項６〜請求項８のいずれか一項に記載の冷凍サイクル装置。
【請求項１０】
前記主回路には、暖房運転又は冷房運転をそれぞれ選択可能な複数の室内機が接続されており、  前記複数の室内機のそれぞれに接続されたガス側配管は、第２流路切替装置を介して、前記圧縮機の吐出配管及び吸入配管の双方に接続されており、  前記第２流路切替装置は、前記複数の室内機のうち暖房運転を選択した室内機に接続されたガス側配管に、前記圧縮機から前記吐出配管を介して吐出される高圧冷媒を流通させ、前記複数の室内機のうち冷房運転を選択した室内機に接続されたガス側配管に、前記圧縮機に前記吸入配管を介して吸入される低圧冷媒を流通させるように流路を切り替えるものであり、  前記制御装置は、暖房運転を選択した室内機と冷房運転を選択した室内機とが存在する冷暖同時運転の実行中において、前記複数の並列熱交換器のデフロストが必要と判断した場合、前記冷暖同時運転を継続しながら前記第１の暖房デフロスト同時運転又は前記第２の暖房デフロスト同時運転を実行する請求項１〜請求項９のいずれか一項に記載の冷凍サイクル装置。
【発明の詳細な説明】
【技術分野】
【０００１】  本発明は、例えば空気調和装置等に用いられる冷凍サイクル装置に関するものである。
【背景技術】
【０００２】  特許文献１には、圧縮機が吐出した冷媒の一部を分岐し、複数の並列熱交換器のうちデフロスト対象として選択された並列熱交換器に流入させるデフロスト配管と、デフロスト配管に設けられ、圧縮機が吐出した冷媒を減圧する絞り装置と、デフロスト対象の並列熱交換器から流出した冷媒を、デフロスト対象以外の並列熱交換器の上流側の主回路に流入させる接続切替装置と、を備えた空気調和装置が記載されている。
【先行技術文献】
【特許文献】
【０００３】
【特許文献１】国際公開第２０１４／０８３８６７号
【発明の概要】
【発明が解決しようとする課題】
【０００４】  特許文献１に記載された空気調和装置では、デフロスト対象以外の並列熱交換器を蒸発器として動作させて暖房運転を継続しながら、デフロスト対象の並列熱交換器のデフロストを行う暖房デフロスト同時運転を実行することができる。しかしながら、暖房デフロスト同時運転では、デフロスト対象以外の並列熱交換器で室外空気から吸熱する必要があるため、室外ファンを動作させる必要がある。室外ファンにより送風される室外空気は、デフロスト対象の並列熱交換器にも流れる。これにより、特に外気温度が低下したときには、デフロスト対象の並列熱交換器から室外空気への放熱が多くなってしまう。このため、空気調和装置の暖房能力が低下してしまう可能性があるという課題があった。【０００５】  本発明は、上述のような課題を解決するためになされたものであり、暖房デフロスト同時運転における暖房能力の低下を抑えることができる冷凍サイクル装置を提供することを目的とする。
【課題を解決するための手段】
【０００６】  本発明に係る冷凍サイクル装置は、冷媒を循環させる主回路と、前記主回路において互いに並列に接続された複数の熱源機と、前記複数の熱源機を制御する制御装置と、を備え、前記複数の熱源機のそれぞれは、冷媒を圧縮して吐出する圧縮機と、少なくとも蒸発器として動作し、冷媒の流れにおいて互いに並列に接続された複数の並列熱交換器と、前記圧縮機から吐出された冷媒の逆流を阻止する逆止弁と、前記圧縮機から吐出された冷媒を前記逆止弁よりも上流側で分岐させ、前記複数の並列熱交換器のうちの少なくとも一部の並列熱交換器に供給するデフロスト回路と、前記複数の並列熱交換器を通る冷媒の流路を切り替える第１流路切替装置と、を有しており、前記制御装置は、前記複数の熱源機のうちの少なくとも一部の熱源機において、前記複数の並列熱交換器のうちの一部の並列熱交換器に、前記圧縮機から吐出された冷媒の一部を前記デフロスト回路を介して供給するとともに、前記複数の並列熱交換器のうちの他の並列熱交換器を蒸発器として動作させる第１の暖房デフロスト同時運転と、前記複数の熱源機のうちの一部の熱源機において、前記複数の並列熱交換器のうちの全ての並列熱交換器に、前記圧縮機から吐出された冷媒を前記デフロスト回路を介して供給するとともに、前記複数の熱源機のうちの他の熱源機において、前記複数の並列熱交換器のうちの全ての並列熱交換器を蒸発器として動作させて暖房を継続し、前記複数の熱源機のうちの一部の熱源機における前記圧縮機の吸入圧力が、前記複数の熱源機のうちの他の熱源機における前記圧縮機の吸入圧力よりも高くなるように運転する第２の暖房デフロスト同時運転と、を切り替えて実行するものである。
【発明の効果】
【０００７】  本発明によれば、高い暖房能力を確保できるデフロスト方法を選択できるため、暖房デフロスト同時運転における暖房能力の低下を抑えることができる。
【図面の簡単な説明】
【０００８】
【図１】本発明の実施の形態１に係る空気調和装置１００の構成を示す回路構成図である。
【図２】本発明の実施の形態１に係る室外熱交換器５−１の構成の一例を示す図である。
【図３】本発明の実施の形態１に係る室外熱交換器５−１、５−２の熱源機Ａ−１、Ａ−２への搭載例を示す図である。
【図４】本発明の実施の形態１に係る空気調和装置１００の制御装置３０で実行される制御の流れの一例を示すフローチャートである。
【図５】本発明の実施の形態１に係る空気調和装置１００の各運転モードにおける各バルブの状態の例を示す図である。
【図６】本発明の実施の形態１に係る空気調和装置１００の冷房運転時における冷媒の流れを示す図である。
【図７】本発明の実施の形態１に係る空気調和装置１００の冷房運転時におけるＰ−ｈ線図である。
【図８】本発明の実施の形態１に係る空気調和装置１００の暖房通常運転時における冷媒の流れを示す図である。
【図９】本発明の実施の形態１に係る空気調和装置１００の暖房通常運転時におけるＰ−ｈ線図である。
【図１０】本発明の実施の形態１に係る空気調和装置１００の暖房デフロスト同時運転１時における冷媒の流れを示す図である。
【図１１】本発明の実施の形態１に係る空気調和装置１００の暖房デフロスト同時運転１時におけるＰ−ｈ線図である。
【図１２】本発明の実施の形態１に係る空気調和装置１００の暖房デフロスト同時運転２時における冷媒の流れを示す図である。
【図１３】本発明の実施の形態１に係る空気調和装置１００の暖房デフロスト同時運転２時におけるＰ−ｈ線図である。
【図１４】本発明の実施の形態１に係る空気調和装置１００における外気温度に対する暖房デフロスト同時運転１の暖房能力を示すグラフである。
【図１５】本発明の実施の形態１に係る空気調和装置１００における暖房デフロスト同時運転１の暖房能力と暖房デフロスト同時運転２の暖房能力とを示すグラフである。
【図１６】本発明の実施の形態２に係る空気調和装置１０１の構成を示す回路構成図である。
【図１７】本発明の実施の形態２に係る空気調和装置１０１の暖房デフロスト同時運転１時における冷媒の流れを示す図である。
【図１８】本発明の実施の形態２に係る空気調和装置１０１の暖房デフロスト同時運転１時におけるＰ−ｈ線図である。
【図１９】本発明の実施の形態２に係る空気調和装置１０１の暖房デフロスト同時運転２時における冷媒の流れを示す図である。
【図２０】本発明の実施の形態２に係る空気調和装置１０１の暖房デフロスト同時運転２時におけるＰ−ｈ線図である。
【図２１】本発明の実施の形態３に係る空気調和装置１０２の構成を示す回路構成図である。
【図２２】本発明の実施の形態４に係る空気調和装置１０３の構成を示す回路構成図である。
【図２３】本発明の実施の形態５に係る空気調和装置１０４の構成を示す回路構成図である。
【図２４】本発明の実施の形態１に係る熱源機Ａ−１の構成の変形例を示す図である。
【発明を実施するための形態】
【０００９】  以下、本発明の実施の形態に係る冷凍サイクル装置について、冷凍サイクル装置を備えた空気調和装置を例に挙げて図面に基づき説明する。ここで、図１を含む以下の図面において、同一の符号を付したものは、同一又はこれに相当するものであり、このことは明細書の全文において共通することとする。さらに、明細書全文に表されている構成要素の形態は、あくまでも例示であって、これらの記載に限定されるものではない。また、構成要素の組合せは、各実施の形態における組合せのみに限定されるものではない。各実施の形態に記載した構成要素は、他の実施の形態に適用することができる。さらに、添字又は枝番で区別している複数の同種の構成要素について、特に区別したり特定したりする必要がない場合には、添字又は枝番を省略して記載することがある。また、図面では各構成部材の大きさの関係が実際のものとは異なる場合がある。そして、温度、圧力等の高低は、特に絶対的な値との関係で定まるものではなく、システム、装置等における状態、動作等において相対的に定まるものとする。
【００１０】実施の形態１．  本発明の実施の形態１に係る空気調和装置について説明する。図１は、本実施の形態に係る空気調和装置１００の構成を示す回路構成図である。図１に示すように、空気調和装置１００は、冷媒回路において互いに並列に接続された複数の熱源機Ａ−１、Ａ−２（熱源側ユニット）と、冷媒回路において互いに並列に接続された複数の室内機Ｂ、Ｃ（利用側ユニット）と、を有している。熱源機Ａ−１、Ａ−２は例えば室外に設置されており、室内機Ｂ、Ｃは例えば室内に設置されている。熱源機Ａ−１、Ａ−２と室内機Ｂとの間は、第１延長配管１１−１、１１−２ｂ及び第２延長配管１２−１、１２−２ｂを介して接続されている。熱源機Ａ−１、Ａ−２と室内機Ｃとの間は、第１延長配管１１−１、１１−２ｃ及び第２延長配管１２−１、１２−２ｃを介して接続されている。熱源機Ａ−１、Ａ−２の組と、室内機Ｂ、Ｃの組とが、第１延長配管１１−１、１１−２ｂ、１１−２ｃ及び第２延長配管１２−１、１２−２ｂ、１２−２ｃ等を介して環状に接続されることにより、冷媒回路の主回路が構成されている。
【００１１】  空気調和装置１００は、さらに制御装置３０を有している。制御装置３０は、後述する冷暖切替装置２−１、２−２及びデフロスト回路等を制御することにより、運転モードを切り替える機能を有している。空気調和装置１００の運転モードには、少なくとも冷房運転及び暖房運転がある。暖房運転には、サブ運転モードとして、暖房通常運転、リバースデフロスト運転、第１の暖房デフロスト同時運転（以下、「暖房デフロスト同時運転１」という場合がある）及び第２の暖房デフロスト同時運転（以下、「暖房デフロスト同時運転２」という場合がある）が含まれる。
【００１２】  制御装置３０は、選択手段３１及び判定手段３２を備えている。選択手段３１は、デフロスト運転を行う場合の運転モードとして、第１の暖房デフロスト同時運転又は第２の暖房デフロスト同時運転のいずれかを選択するものである。判定手段３２は、デフロスト運転を実行するか否かを判定するものである。制御装置３０は、例えば、ＣＰＵ（Ｃｅｎｔｒａｌ  Ｐｒｏｃｅｓｓｉｎｇ  Ｕｎｉｔ）等の制御演算処理部と、制御等に係る処理手順をプログラムとしたデータを記憶する記憶部と、を有している。本実施の形態の選択手段３１及び判定手段３２は、記憶部に記憶されたプログラムを制御演算処理部が実行することにより実現される機能ブロックである。例えば、選択手段３１は、後述する図４のステップＳ６に対応する機能ブロックであり、判定手段３２は、図４のステップＳ５に対応する機能ブロックである。
【００１３】  冷媒回路を循環させる冷媒としては、例えば、フロン冷媒、ＨＦＯ冷媒等を用いることができる。フロン冷媒としては、例えば、ＨＦＣ系冷媒であるＲ３２、Ｒ１２５、Ｒ１３４ａ等がある。また、フロン冷媒としては、ＨＦＣ系冷媒の混合冷媒であるＲ４１０Ａ、Ｒ４０７Ｃ、Ｒ４０４Ａ等がある。また、ＨＦＯ冷媒としては、例えば、ＨＦＯ−１２３４ｙｆ、ＨＦＯ−１２３４ｚｅ（Ｅ）、ＨＦＯ−１２３４ｚｅ（Ｚ）、ＨＦＯ−１１２３等がある。また、その他の冷媒としては、ＣＯ２冷媒、ＨＣ冷媒（例えば、プロパン、イソブタン冷媒等）、アンモニア冷媒、Ｒ３２とＨＦＯ−１２３４ｙｆとの混合冷媒のような上記冷媒の混合冷媒等、蒸気圧縮式のヒートポンプ回路に用いられる種々の冷媒を用いることができる。
【００１４】  なお、本実施の形態では、２台の熱源機Ａ−１、Ａ−２と２台の室内機Ｂ、Ｃとが接続された冷媒回路を例に挙げて説明するが、熱源機及び室内機の接続台数はこれに限られない。冷媒回路には、１台又は３台以上の室内機が接続されていてもよいし、３台以上の熱源機が並列に接続されていてもよい。また、延長配管を３本並列に接続したり、室内機側に切替弁を設けたりすることにより、それぞれの室内機が独立して冷房又は暖房を選択する冷暖同時運転を実行できるようにした冷媒回路構成であってもよい。
【００１５】  次に、本実施の形態に係る空気調和装置１００における冷媒回路の構成について説明する。ここで、熱源機Ａ−１、Ａ−２は冷媒回路において互いに並列に接続されており、熱源機Ａ−１内の冷媒回路と熱源機Ａ−２内の冷媒回路とは同一の構成を有している。このため、まず熱源機Ａ−１、Ａ−２のうち熱源機Ａ−１のみを含む冷媒回路の構成について説明し、その後、熱源機Ａ−２について簡単に説明する。
【００１６】  空気調和装置１００の冷媒回路は、圧縮機１−１と、冷暖切替装置２−１と、室内熱交換器３−ｂ、３−ｃと、室内熱交換器３−ｂ、３−ｃに対応して設けられた流量制御装置４−ｂ、４−ｃと、室外熱交換器５−１とが、冷媒配管を介して順次接続された主回路を有している。また、本実施の形態の冷媒回路には、さらにアキュムレータ６−１が設けられている。アキュムレータ６−１は、圧縮機１−１の吸入部に配置されている。アキュムレータ６−１は、冷房時の必要冷媒量と暖房時の必要冷媒量との差分などの余剰冷媒を溜める冷媒貯留機能を有している。また、アキュムレータ６−１は、流入した冷媒を液冷媒とガス冷媒とに分離し、ガス冷媒のみを流出させる気液分離機能を有している。ただし、アキュムレータ６−１は必須の構成ではない。例えば、冷媒回路中における圧縮機１−１の吸入部以外に、液冷媒を溜める容器が接続されていればよい。
【００１７】  室内機Ｂには、室内熱交換器３−ｂ、流量制御装置４−ｂ、及び室内熱交換器３−ｂに空気を送風する室内ファン３ｆ−ｂが収容されている。室内機Ｃには、室内熱交換器３−ｃ、流量制御装置４−ｂ、及び室内熱交換器３−ｃに空気を送風する室内ファン３ｆ−ｃが収容されている。
【００１８】  室内熱交換器３−ｂ、３−ｃは、内部を流通する冷媒と、室内ファン３ｆ−ｂ、３ｆ−ｃにより送風される室内空気と、の熱交換を行うものである。例えば冷房運転時には、室内熱交換器３−ｂ、３−ｃは蒸発器として動作し、冷媒の蒸発熱を室内空気から吸熱して冷媒を気化させる。暖房運転時には、室内熱交換器３−ｂ、３−ｃは凝縮器（又は放熱器）として動作し、冷媒の凝縮熱を室内空気に放熱し、冷媒を液化させる。
【００１９】  室内ファン３ｆ−ｂ、３ｆ−ｃは、それぞれ室内の空気を吸い込んで室内熱交換器３−ｂ、３−ｃを通過させ、再度室内に送り込む空気の流れを生成するものである。
【００２０】  流量制御装置４−ｂ、４−ｃは、例えば、開度の調整により冷媒の流量を連続的に又は多段階で制御可能な電子膨張弁等により構成されている。流量制御装置４−ｂ、４−ｃは、制御装置３０からの指示に基づき開度を変化させることにより、例えば室内熱交換器３−ｂ、３−ｃ内の冷媒の圧力及び温度を調整する。
【００２１】  熱源機Ａ−１には、圧縮機１−１、冷暖切替装置２−１、室外熱交換器５−１、アキュムレータ６−１、及び室外熱交換器５−１に室外空気を送風する室外ファン５ｆ−１が収容されている。
【００２２】  圧縮機１−１は、吸入した冷媒を圧縮して吐出する流体機械である。ここで、特に限定するものではないが、圧縮機１−１は、例えばインバータ回路等によって駆動周波数を任意に変化させることにより、圧縮機１−１の容量（単位時間あたりの冷媒の吐出量）が変化するように構成されていてもよい。
【００２３】  冷暖切替装置２−１は、圧縮機１−１から吐出された冷媒の流路を切り替えるものである。冷暖切替装置２−１は、例えば四方弁により構成されている。冷暖切替装置２−１は、圧縮機１−１の吐出側に接続される吐出配管１ａ−１と、圧縮機１−１の吸入側に接続される吸入配管１ｂ−１と、の間に接続される。冷暖切替装置２−１は、制御装置３０によって制御される。暖房運転時には、制御装置３０は、圧縮機１−１から吐出された冷媒が室内熱交換器３−ｂ、３−ｃに流入するように、冷暖切替装置２−１の流路を図１中の実線で示すように切り替える。冷房運転時には、制御装置３０は、圧縮機１−１から吐出された冷媒が室外熱交換器５−１に流入するように、冷暖切替装置２−１の流路を図１中の点線で示すように切り替える。
【００２４】  室外熱交換器５−１は、内部を流通する冷媒と、室外ファン５ｆ−１により送風される室外空気と、の熱交換を行うものである。例えば冷房運転時には、室外熱交換器５−１は凝縮器（又は放熱器）として動作し、冷媒の凝縮熱を室外空気に放熱して冷媒を液化させる。暖房運転時には、室外熱交換器５−１は蒸発器として動作し、冷媒の蒸発熱を室外空気から吸熱し、冷媒を気化させる。
【００２５】  室外ファン５ｆ−１は、室外の空気を室外熱交換器５−１に送風するものである。
【００２６】  図２は、本実施の形態に係る室外熱交換器５−１の構成の一例を示す図である。図２に示すように、室外熱交換器５−１は、例えば、複数の伝熱管５ａと複数のフィン５ｂとを備えるクロスフィン式のフィンチューブ型熱交換器である。室外熱交換器５−１は、複数の並列熱交換器に分割されている。本例では、室外熱交換器５−１が２つの並列熱交換器５０−１１、５０−１２に分割されている構成を例示している。並列熱交換器５０−１１は室外熱交換器５−１の上部に配置されており、並列熱交換器５０−１２は並列熱交換器５０−１１よりも下方に配置されている。
【００２７】  伝熱管５ａは、内部に冷媒を通過させるものである。伝熱管５ａは、空気の流通方向（図２中の白抜き矢印の方向）に対して垂直な段方向（図２中の上下方向）、及び空気の流通方向に平行な列方向（図２中の左右方向）にそれぞれ複数設けられている。フィン５ｂは、空気の通過を許容するように互いに間隔を空けて配置されている。
【００２８】  室外熱交換器５−１は、上下方向に２つの並列熱交換器５０−１１、５０−１２に分割されている。並列熱交換器５０−１１、５０−１２は、冷媒の流れにおいて互いに並列に設けられるとともに、空気の流れにおいても互いに並列に設けられる。図２に示す構成では、風上側の伝熱管５ａが第１接続配管１３−１１、１３−１２（暖房運転時において室外熱交換器５−１に冷媒を流入させる接続配管）に接続され、風下側の伝熱管５ａが第２接続配管１４−１１、１４−１２（暖房運転時において室外熱交換器５−１から冷媒を流出させる接続配管）に接続されている。しかしながら、風上側の伝熱管５ａが第２接続配管１４−１１、１４−１２に接続され、風下側の伝熱管５ａが第１接続配管１３−１１、１３−１２に接続されてもよい。後述するように、並列熱交換器５０−１１、５０−１２の一方又は双方がデフロストされる際、デフロストされる並列熱交換器には第２接続配管１４（第２接続配管１４−１１又は第２接続配管１４−１２）から冷媒が流入し、当該並列熱交換器からは第１接続配管１３（第１接続配管１３−１１又は第１接続配管１３−１２）に冷媒が流出する場合がある。このため、風上側の伝熱管５ａを第２接続配管１４−１１、１４−１２に接続し、風下側の伝熱管５ａを第１接続配管１３−１１、１３−１２に接続することにより、デフロスト時に風上側で空気に放熱された熱を、風下側のデフロストに用いることができる。
【００２９】  図３は、本実施の形態に係る室外熱交換器５−１、５−２の熱源機Ａ−１、Ａ−２への搭載例を示す図である。図３に示すように、室外熱交換器５−１（並列熱交換器５０−１１、５０−１２）及び室外熱交換器５−２（並列熱交換器５０−２１、５０−２２）は、熱源機Ａ−１、Ａ−２にそれぞれ搭載される。熱源機Ａ−１、Ａ−２のそれぞれは、室外空気を筐体側面から流入させ、室外熱交換器５−１、５−２を通過した室外空気を筐体上面から流出させるトップフロー型である。トップフロー型の熱源機Ａ−１、Ａ−２の場合、上部の風速が下部の風速よりも大きくなる。したがって、並列熱交換器５０−１１、５０−１２のＡＫ値をできるだけ等しくし、並列熱交換器５０−２１、５０−２２のＡＫ値をできるだけ等しくするため、下部に位置する並列熱交換器５０−１２、５０−２２の伝熱面積は、上部に位置する並列熱交換器５０−１１、５０−２１の伝熱面積よりも大きくした方がよい。ここで、ＡＫ値とは、熱交換器の伝熱面積と熱通過率との積であり、単位温度あたりの熱通過率の能力を表す値［ｋＷ／Ｋ］である。
【００３０】  複数のフィン５ｂのそれぞれは、並列熱交換器５０−１１側と並列熱交換器５０−１２側とで分離されていなくてもよいし、並列熱交換器５０−１１、５０−１２のそれぞれが独立したフィンを有するように熱的に分離されていてもよい。また、本実施の形態では、室外熱交換器５−１が２つの並列熱交換器５０−１１、５０−１２に分割されているが、室外熱交換器５−１は、２以上の任意の数の並列熱交換器に分割することができる。
【００３１】  図１に戻り、並列熱交換器５０−１１、５０−１２と第２延長配管１２−１とは、それぞれ第１接続配管１３−１１、１３−１２を介して接続されている。第１接続配管１３−１１、１３−１２には、それぞれ第２絞り装置７−１１、７−１２が設けられている。第１接続配管１３−１１のうちの第２絞り装置７−１１と並列熱交換器５０−１１との間と、第１接続配管１３−１２のうちの第２絞り装置７−１２と並列熱交換器５０−１２との間とは、バイパス配管を介して接続されている。このバイパス配管には、第２絞り装置７−１３が設けられている。第２絞り装置７−１１、７−１２、７−１３は、例えば電子膨張弁により構成されている。第２絞り装置７−１１、７−１２、７−１３は、制御装置３０からの指示に基づいて開度を変化させることができる。
【００３２】  並列熱交換器５０−１１、５０−１２と冷暖切替装置２−１とは、それぞれ第２接続配管１４−１１、１４−１２を介して接続されている。第２接続配管１４−１１、１４−１２には、それぞれ第１電磁弁８−１１、８−１２が設けられている。第１電磁弁８−１１、８−１２は、制御装置３０からの指示に基づいて流路を開閉するものである。
【００３３】  吐出配管１ａ−１には、例えば暖房運転時において圧縮機１−１から吐出された冷媒が冷暖切替装置２−１側に流れるのを許容し、逆流を阻止する逆止弁１６−１が設けられている。なお、圧縮機１−１の吐出圧力が室内機Ｂ、Ｃの圧力よりも低くなった場合の逆流を防ぐことができればよいため、逆止弁１６−１に代えて電磁弁などの開閉弁を用いることもできる。吐出配管１ａ−１のうち逆止弁１６−１の上流側（圧縮機１−１側）と、第２接続配管１４−１１、１４−１２のうち並列熱交換器５０−１１、５０−１２と第１電磁弁８−１１、８−１２との間とは、それぞれデフロスト配管１５−１を介して接続されている。デフロスト配管１５−１の一端側は吐出配管１ａ−１に接続されており、他端側は分岐して第２接続配管１４−１１、１４−１２のそれぞれに接続されている。デフロスト配管１５−１は、圧縮機１−１から吐出された高温高圧の冷媒の一部（又は全部）を、室外熱交換器５−１の並列熱交換器５０−１１、５０−１２にデフロストのために供給するものである。
【００３４】  デフロスト配管１５−１には、減圧装置となる第１絞り装置１０−１が設けられている。第１絞り装置１０−１は、吐出配管１ａ−１からデフロスト配管１５−１に流入した高温高圧の冷媒を中圧に減圧するものである。ここで、中圧とは、冷媒回路内の高圧側圧力（例えば、凝縮器内の圧力）よりも低く、低圧側圧力（例えば、蒸発器内の圧力）よりも高い圧力である。第１絞り装置１０−１で減圧された中圧冷媒は、第２接続配管１４−１１、１４−１２を通って並列熱交換器５０−１１、５０−１２に流入する。これにより、並列熱交換器５０−１１、５０−１２では、中圧冷媒を用いたデフロストが行われる。
【００３５】  デフロスト配管１５−１の他端側において分岐したそれぞれの配管には、第２電磁弁９−１１、９−１２が設けられている。第２電磁弁９−１１、９−１２は、中圧冷媒を第２接続配管１４−１１、１４−１２のいずれに流入させるかを制御する。ここで、第１電磁弁８−１１、８−１２及び第２電磁弁９−１１、９−１２は、例えば、四方弁、三方弁、二方弁等のように冷媒の流れが制御できるものであれば種類については限定されない。
【００３６】  本実施の形態では、デフロスト配管１５−１、第１電磁弁８−１１、８−１２、第２電磁弁９−１１、９−１２、及び第２絞り装置７−１１、７−１２、７−１３は、デフロスト回路及び流路切替装置を構成している。デフロスト回路は、圧縮機１−１から吐出された冷媒の一部（又は全部）を分岐させ、複数の並列熱交換器５０−１１、５０−１２のうちからデフロスト対象として選択された一部の並列熱交換器に流入させるものである。第１電磁弁８−１１、８−１２、及び第２電磁弁９−１１、９−１２の開閉は、制御装置３０により制御される。
【００３７】  なお、必要なデフロスト能力（デフロストに必要な冷媒流量）が予め決まっている場合には、第１絞り装置１０−１として毛細管等の固定絞りを用いてもよい。また、第１絞り装置１０−１を設けることに代えて、予め設定したデフロスト流量時に冷媒の圧力が中圧まで低下するように、第２電磁弁９−１１、９−１２を小型化してもよい。また、第２電磁弁９−１１、９−１２に代えて、冷媒の流量を連続的に又は多段階で制御可能な流量制御装置を設置してもよい。この場合、第１絞り装置１０−１の設置を省略することができる。
【００３８】  また、熱源機Ａ−１には各種センサが設けられている。制御装置３０は、各種センサからの検出信号に基づき、圧縮機１−１の周波数、室外ファン５ｆ−１及び各種流量制御装置等、アクチュエータとなる機器を制御する。ここでは、各種センサの一部として、主にデフロストの実行又はデフロストの終了判定に必要なセンサについて説明する。
【００３９】  デフロスト配管１５−１には、当該配管内の冷媒圧力を検出する圧力センサ２１−１１が設けられている。圧力センサ２１−１１では、第２電磁弁９−１１が開いている場合には並列熱交換器５０−１１内の冷媒圧力が検出され、第２電磁弁９−１２が開いている場合には並列熱交換器５０−１２内の冷媒圧力が検出される。第１接続配管１３−１１、１３−１２には、デフロストを行う際に並列熱交換器５０−１１、５０−１２から流出する冷媒の温度を検出する温度センサ２２−１１、２２−１２が設けられている。デフロスト対象の並列熱交換器５０−１１、５０−１２の圧力を制御する際には、圧力センサ２１−１１の検出値が用いられる。また、デフロストの終了判定には、並列熱交換器５０−１１、５０−１２から流出する冷媒のサブクールＳＣが用いられる。サブクールＳＣは、圧力センサ２１−１１の検出圧力に基づく飽和液温度と、温度センサ２２−１１、２２−１２の検出温度と、の温度差を用いて算出される。デフロスト対象の並列熱交換器内の冷媒圧力を検出するため、圧力センサ２１−１１に代えて、例えば第１接続配管１３−１１、１３−１２のそれぞれに圧力センサが設けられていてもよい。
【００４０】  その他のセンサとしては、圧縮機１−１に吸入される冷媒の温度を検出する温度センサ２２−１４、圧縮機１−１から吐出される冷媒の圧力を検出する圧力センサ２１−１２、室外熱交換器５−１と冷暖切替装置２−１との間を接続するガス側配管内の冷媒の温度を検出する温度センサ２２−１３、外気温度を検出する温度センサ２３、等が設けられている。なお、制御装置３０は、外気温度の情報を外部から取得するようにしてもよい。
【００４１】  熱源機Ａ−２は、熱源機Ａ−１と同様の構成を有している。すなわち、熱源機Ａ−２の圧縮機１−２、吐出配管１ａ−２、吸入配管１ｂ−２、冷暖切替装置２−２、室外熱交換器５−２、室外ファン５ｆ−２、アキュムレータ６−２、第２絞り装置７−２１、７−２２、７−２３、第１電磁弁８−２１、８−２２、第２電磁弁９−２１、９−２２、第１絞り装置１０−２、第１接続配管１３−２１、１３−２２、第２接続配管１４−２１、１４−２２、デフロスト配管１５−２、逆止弁１６−２、圧力センサ２１−２１、２１−２２、温度センサ２２−２１、２２−２２、２２−２３、２２−２４、並列熱交換器５０−２１、５０−２２は、熱源機Ａ−１の圧縮機１−１、吐出配管１ａ−１、吸入配管１ｂ−１、冷暖切替装置２−１、室外熱交換器５−１、室外ファン５ｆ−１、アキュムレータ６−１、第２絞り装置７−１１、７−１２、７−１３、第１電磁弁８−１１、８−１２、第２電磁弁９−１１、９−１２、第１絞り装置１０−１、第１接続配管１３−１１、１３−１２、第２接続配管１４−１１、１４−１２、デフロスト配管１５−１、逆止弁１６−１、圧力センサ２１−１１、２１−１２、温度センサ２２−１１、２２−１２、２２−１３、２２−１４、並列熱交換器５０−１１、５０−１２にそれぞれ対応している。なお、本実施の形態では、外気温度を検出する温度センサ２３は熱源機Ａ−１のみに設けられている。
【００４２】  次に、空気調和装置１００の各種運転モードにおける運転動作について説明する。図４は、本実施の形態に係る空気調和装置１００の制御装置３０で実行される制御の流れの一例を示すフローチャートである。空気調和装置１００の運転が開始されると（ステップＳ１）、制御装置３０は、リモコン等によるユーザーからの指令に基づき、室内機Ｂ及び室内機Ｃの運転モードを冷房運転又は暖房運転に設定する（ステップＳ２）。運転モードが冷房運転に設定された場合、制御装置３０は所定の冷房制御を行う（ステップＳ３）。運転モードが暖房運転に設定された場合、制御装置３０は、冷暖切替装置２−１、２−２、流量制御装置４−ｂ、４−ｃ、第２絞り装置７−１１、７−１２、７−２１、７−２２、第１電磁弁８−１１、８−１２、８−２１、８−２２、第２電磁弁９−１１、９−１２、９−２１、９−２２、及び第１絞り装置１０−１、１０−２等を制御し、暖房通常運転、暖房デフロスト同時運転１（連続暖房運転とも称する）又は暖房デフロスト同時運転２のいずれかを実行する。本例では、運転モードが暖房運転に設定された場合、制御装置３０は、サブ運転モードをまず暖房通常運転に設定し、所定の暖房制御を行う（ステップＳ４）。暖房通常運転は、室外熱交換器５−１、５−２を構成する並列熱交換器５０−１１、５０−１２、５０−２１、５０−２２の全てが通常の蒸発器として動作するサブ運転モードである。
【００４３】  暖房通常運転時には、制御装置３０は、デフロスト実施条件を満たすか否かを判定する（ステップＳ５）。デフロスト実施条件を満たすか否かの判定は、例えば、外気温度及び冷凍サイクルの低圧側圧力等を用いて行われる。デフロスト実施条件を満たすと判定した場合には、制御装置３０は、デフロスト実施方法として、例えば暖房デフロスト同時運転１又は暖房デフロスト同時運転２のいずれかを選択して実行する（ステップＳ６）。暖房デフロスト同時運転１又は暖房デフロスト同時運転２の実行が開始されると、制御装置３０がデフロスト終了条件を満たすと判定するまで継続される（ステップＳ７〜Ｓ１０）。一方、ステップＳ５でデフロスト実施条件を満たさないと判定した場合には、ステップＳ４に戻り、所定の暖房制御を継続するとともに、デフロスト実施条件を満たすか否かの判定を所定の時間間隔で繰り返す。
【００４４】  暖房デフロスト同時運転１は、複数の並列熱交換器５０−１１、５０−１２、５０−２１、５０−２２のうちの一部（例えば、熱源機毎にそれぞれ１つ）の並列熱交換器がデフロスト対象として順次選択されるサブ運転モードである。デフロスト対象として選択された並列熱交換器には、上記のデフロスト回路によって、圧縮機から吐出された冷媒の一部が流入する。これに対し、デフロスト対象以外の並列熱交換器は、通常の蒸発器として動作する。例えば、暖房デフロスト同時運転１では、熱源機Ａ−１（室外熱交換器５−１）の一方の並列熱交換器５０−１１を蒸発器として動作させて暖房運転を実行しつつ、他方の並列熱交換器５０−１２のデフロストを行う。並列熱交換器５０−１２のデフロストが終了すると、今度は並列熱交換器５０−１２を蒸発器として動作させて暖房運転を実行しつつ、並列熱交換器５０−１１のデフロストを行う。暖房デフロスト同時運転１では、暖房運転を継続しながら、並列熱交換器５０−１１、５０−１２のデフロストを交互に行うとともに、並列熱交換器５０−２１、５０−２２のデフロストを交互に行うことが可能である。
【００４５】  暖房デフロスト同時運転２は、複数の熱源機Ａ−１、Ａ−２のうちの一部の熱源機（例えば、１台の熱源機）の全ての並列熱交換器のデフロスト（以下、「全面デフロスト」という場合がある）を行い、それ以外の熱源機の並列熱交換器を蒸発器として動作させて暖房運転を実行するサブ運転モードである。つまり、暖房デフロスト同時運転２では、暖房運転を継続しながら、熱源機Ａ−１、Ａ−２毎の全面デフロストを交互に行う。例えば、一方の熱源機Ａ−１の全ての並列熱交換器５０−１１、５０−１２を蒸発器として動作させて暖房運転を実行しつつ、他方の熱源機Ａ−２の全ての並列熱交換器５０−２１、５０−２２のデフロストを同時に行う。並列熱交換器５０−２１、５０−２２のデフロストが終了すると、今度は熱源機Ａ−２の全ての並列熱交換器５０−２１、５０−２２を蒸発器として動作させて暖房運転を実行しつつ、熱源機Ａ−１の全ての並列熱交換器５０−１１、５０−１２のデフロストを同時に行う。
【００４６】  暖房デフロスト同時運転１及び暖房デフロスト同時運転２は、暖房通常運転中、冷凍サイクルの低圧側圧力及び室外熱交換器５−１、５−２の検知温度等が低下して、室外熱交換器５−１、５−２に着霜が生じていると判断された場合に行われる。なお、暖房デフロスト同時運転１又は暖房デフロスト同時運転２のいずれかを選択する手法については、図１５を用いて後述する。
【００４７】  図５は、本実施の形態に係る空気調和装置１００の各運転モードにおける各バルブの状態の例を示す図である。図５では、冷暖切替装置２−１、２−２、第２絞り装置７−１１、７−１２、７−１３、７−２１、７−２２、７−２３、第１電磁弁８−１１、８−１２、８−２１、８−２２、第２電磁弁９−１１、９−１２、９−２１、９−２２、第１絞り装置１０−１、１０−２、及び流量制御装置４−ｂ、４−ｃのそれぞれの符号を「バルブ番号」として示している。例えば、冷暖切替装置２−１、２−２の「ＯＮ」は、図１中に実線で示すように流路が切り替えられた状態を示し、「ＯＦＦ」は、図１中に点線で示すように流路が切り替えられた状態を示す。また例えば、第１電磁弁８−１１、８−１２、８−２１、８−２２、及び第２電磁弁９−１１、９−１２、９−２１、９−２２の「ＯＮ」は、弁が開放されて冷媒を流通させる状態を示し、「ＯＦＦ」は、弁が閉じられて冷媒を流通させない状態を示す。また例えば、第２絞り装置７−１３、７−２３の「デフロスト熱交圧力」は、デフロスト対象の並列熱交換器内の冷媒圧力が所定の圧力範囲となるように第２絞り装置７−１３、７−２３の開度が制御されることを示す。
【００４８】  以下に説明する各運転モードでは、制御装置３０の制御により、各バルブの状態が図５に示すように設定される。
【００４９】［冷房運転］  図６は、本実施の形態に係る空気調和装置１００の冷房運転時における冷媒の流れを示す図である。図６では、冷媒が流れる部分を太線で表し、冷媒が流れない部分を細線で表している。図７は、本実施の形態に係る空気調和装置１００の冷房運転時におけるＰ−ｈ線図である。図７中の点（ａ）〜（ｄ）は、それぞれ図６中の（ａ）〜（ｄ）部での冷媒の状態を示している。
【００５０】  図６及び図７に示すように、熱源機Ａ−１の圧縮機１−１は、低温低圧のガス冷媒を吸入して圧縮し、高温高圧のガス冷媒を吐出する（図７の点（ａ）〜（ｂ））。圧縮機１−１から吐出された高温高圧のガス冷媒の一部は、冷暖切替装置２−１、第１電磁弁８−１１及び第２接続配管１４−１１を通過して並列熱交換器５０−１１に流入する。高温高圧のガス冷媒の他の一部は、冷暖切替装置２−１、第１電磁弁８−１２及び第２接続配管１４−１２を通過して並列熱交換器５０−１２に流入する。並列熱交換器５０−１１、５０−１２に流入したガス冷媒は、室外ファン５ｆ−１により送風される室外空気に凝縮熱を放熱して凝縮し、中温高圧の液冷媒となる（図７の点（ｂ）〜（ｃ））。
【００５１】  並列熱交換器５０−１１、５０−１２から流出した中温高圧の液冷媒は、第１接続配管１３−１１、１３−１２、全開状態の第２絞り装置７−１１、７−１２、及び第２延長配管１２−１を通り、熱源機Ａ−２から流出した中温高圧の液冷媒と合流する。なお、熱源機Ａ−２における冷媒の流れは熱源機Ａ−１と同様であるため、説明を省略する。中温高圧の液冷媒は、第２延長配管１２−２ｂ、１２−２ｃに分岐して、流量制御装置４−ｂ、４−ｃを通過する。流量制御装置４−ｂ、４−ｃを通過した冷媒は、膨張して減圧され、低温低圧の気液二相冷媒となる（図７の点（ｃ）〜（ｄ））。
【００５２】  流量制御装置４−ｂ、４−ｃから流出した低温低圧の気液二相冷媒は、室内熱交換器３−ｂ、３−ｃに流入し、室内空気から蒸発熱を吸熱して蒸発し、低温低圧のガス冷媒となる（図７の点（ｄ）〜（ａ））。ここで、制御装置３０は、図７の点（ａ）で示す低温低圧のガス冷媒のスーパーヒート（過熱度）が２Ｋ〜５Ｋ程度になるように、流量制御装置４−ｂ、４−ｃを制御する。
【００５３】  室内熱交換器３−ｂ、３−ｃから流出した低温低圧のガス冷媒は、第１延長配管１１−２ｂ、１１−２ｃを通過して合流し、さらに第１延長配管１１−１で熱源機Ａ−１、Ａ−２のそれぞれに分流する。熱源機Ａ−１側に分流したガス冷媒は、冷暖切替装置２−１及びアキュムレータ６−１を通って圧縮機１−１に吸入される。
【００５４】［暖房通常運転］  図８は、本実施の形態に係る空気調和装置１００の暖房通常運転時における冷媒の流れを示す図である。図８では、冷媒が流れる部分を太線で表し、冷媒が流れない部分を細線で表している。図９は、本実施の形態に係る空気調和装置１００の暖房通常運転時におけるＰ−ｈ線図である。図９中の点（ａ）〜（ｅ）は、それぞれ図８中の（ａ）〜（ｅ）部での冷媒の状態を示している。
【００５５】  図８及び図９に示すように、熱源機Ａ−１の圧縮機１−１は、低温低圧のガス冷媒を吸入して圧縮し、高温高圧のガス冷媒を吐出する（図９の点（ａ）〜（ｂ））。圧縮機１−１から吐出された高温高圧のガス冷媒は、冷暖切替装置２−１及び第１延長配管１１−１を通過し、熱源機Ａ−２から流出したガス冷媒と合流する。高温高圧のガス冷媒は、第１延長配管１１−２ｂ、１１−２ｃに分岐して、室内機Ｂ、Ｃの室内熱交換器３−ｂ、３−ｃに流入する。室内熱交換器３−ｂ、３−ｃに流入したガス冷媒は、室内ファン３ｆ−ｂ、３ｆ−ｃにより送風される室内空気に凝縮熱を放熱して凝縮し、中温高圧の液冷媒となる（図９の点（ｂ）〜（ｃ））。
【００５６】  室内熱交換器３−ｂ、３−ｃから流出した中温高圧の液冷媒は、流量制御装置４−ｂ、４−ｃを通過する。流量制御装置４−ｂ、４−ｃを通過した液冷媒は、膨張して減圧され、中圧の気液二相状態になる（図９の点（ｃ）〜（ｄ））。ここで、制御装置３０は、図９の点（ｃ）で示す中温高圧の液冷媒のサブクール（過冷却度）が５Ｋ〜２０Ｋ程度になるように流量制御装置４−ｂ、４−ｃを制御する。
【００５７】  流量制御装置４−ｂ、４−ｃから流出した中圧の気液二相冷媒は、第２延長配管１２−２ｂ、１２−２ｃを通過して合流し、さらに第２延長配管１２−１で熱源機Ａ−１、Ａ−２のそれぞれに分流する。熱源機Ａ−１側に分流した気液二相冷媒の一部は、第１接続配管１３−１１及び第２絞り装置７−１１を通過する。熱源機Ａ−２側に分流した気液二相冷媒の他の一部は、第１接続配管１３−１２及び第２絞り装置７−１２を通過する。第２絞り装置７−１１、７−１２を通過した冷媒は、膨張して減圧され、低圧の気液二相冷媒となる（図９の点（ｄ）〜（ｅ））。ここで、制御装置３０は、第２絞り装置７−１１、７−１２を、一定開度（例えば、全開）で固定されるように制御するか、又は第２延長配管１２−１等における中圧圧力の飽和温度が０℃〜２０℃程度となるように制御する。
【００５８】  第２絞り装置７−１１、７−１２から流出した低圧の気液二相冷媒は、並列熱交換器５０−１１、５０−１２に流入する。並列熱交換器５０−１１、５０−１２に流入した気液二相冷媒は、室外ファン５ｆ−１により送風される室外空気から蒸発熱を吸熱して蒸発し、低温低圧のガス冷媒となる（図９の点（ｅ）〜（ａ））。
【００５９】  並列熱交換器５０−１１、５０−１２から流出した低温低圧のガス冷媒は、第２接続配管１４−１１、１４−１２及び第１電磁弁８−１１、８−１２を通って合流し、冷暖切替装置２−１及びアキュムレータ６−１を通過して圧縮機１−１に吸入される。
【００６０】［リバースデフロスト運転］  本実施の形態では、通常はリバースデフロスト運転を行わない。しかしながら、暖房通常運転、暖房デフロスト同時運転１及び暖房デフロスト同時運転２のサイクルを繰り返しているうちに、外気温度が大幅に低下したり、圧縮機１−１、１−２の吸入圧力が大幅に低下したりした場合には、室外熱交換器５−１、５−２を無着霜の状態にするためにリバースデフロスト運転を行ってもよい。
【００６１】  リバースデフロスト運転を行う場合、制御装置３０は、冷暖切替装置２−１の流路を冷房運転時と同様に切り替える。これにより、圧縮機１−１から吐出された高温のガス冷媒は、並列熱交換器５０−１１、５０−１２に流入する。並列熱交換器５０−１１、５０−１２において、冷媒は、フィン５ｂに積層した霜を融かしながら冷却される。その後、並列熱交換器５０−１１、５０−１２から流出した冷媒は、第２絞り装置７−１１、７−１２及び第２延長配管１２−１を通り、熱源機Ａ−２から流出した冷媒と合流する。合流した冷媒は、第２延長配管１２−２ｂ、１２−２ｃ、流量制御装置４−ｂ、４−ｃ、室内熱交換器３−ｂ、３−ｃ、第１延長配管１１−２ｂ、１１−２ｃ、１１−１を通過し、熱源機Ａ−１、Ａ−２のそれぞれに分流する。熱源機Ａ−１側に分流した冷媒は、冷暖切替装置２−１及びアキュムレータ６−１を通過して、圧縮機１−１に吸入される。
【００６２】  リバースデフロスト運転時には、室内機Ｂ、Ｃから室内に冷風が吹き出されるのを防ぐため、制御装置３０は、室内ファン３ｆ−ｂ、３ｆ−ｃを停止させる。また、制御装置３０は、圧縮機１−１、１−２の吸入圧力ができるだけ低下しないように、第２絞り装置７−１１、７−１２、７−２１、７−２２、及び流量制御装置４−ｂ、４−ｃが全開となるように制御する。
【００６３】［暖房デフロスト同時運転１（連続暖房運転）］  暖房デフロスト同時運転１は、暖房通常運転中に、図４のステップＳ５でデフロスト実施条件を満たすと判定された場合（例えば、室外熱交換器５−１、５−２に霜が付いたことを検知した場合）であって、ステップＳ６で暖房デフロスト同時運転１が選択された場合に行われる。
【００６４】  本実施の形態の構成では、暖房デフロスト同時運転１として、２種類の運転方法がある。第１の運転方法は、複数の熱源機Ａ−１、Ａ−２のそれぞれ一部の並列熱交換器をデフロスト対象とし、残りの並列熱交換器を蒸発器として動作させるものである。第２の運転方法は、複数の熱源機Ａ−１、Ａ−２のうち一部の熱源機のさらに一部の並列熱交換器のみをデフロスト対象とし、残りの並列熱交換器を蒸発器として動作させるものである。すなわち、第２の運転方法では、複数の熱源機Ａ−１、Ａ−２のうち一部の熱源機において、蒸発器として動作する並列熱交換器とデフロストされる並列熱交換器とが混在する。一方、上記一部の熱源機以外の熱源機では、暖房通常運転と同様に全ての並列熱交換器が蒸発器として動作する。
【００６５】  本実施の形態では、第１の運転方法による暖房デフロスト同時運転１での冷媒の流れについて説明する。第２の運転方法による暖房デフロスト同時運転１での冷媒の流れは、第１の運転方法による冷媒の流れと、上述の暖房通常運転での冷媒の流れとを組み合わせたものである。すなわち、どの並列熱交換器がデフロスト対象となるかによって、第１電磁弁８−１１、８−１２の開閉状態、及び第２電磁弁９−１１、９−１２の開閉状態などが逆になり、並列熱交換器５０−１１と並列熱交換器５０−１２との冷媒の流れが入れ替わるだけで、その他の動作は同様となる。よって、以下の説明では、熱源機Ａ−１の並列熱交換器５０−１２と、熱源機Ａ−２の並列熱交換器５０−２２と、をデフロスト対象とし、熱源機Ａ−１の並列熱交換器５０−１１と、熱源機Ａ−２の並列熱交換器５０−２１と、を蒸発器として動作させる場合の運転について説明する。以降の実施の形態の説明においても同様である。
【００６６】  図１０は、本実施の形態に係る空気調和装置１００の暖房デフロスト同時運転１時における冷媒の流れを示す図である。図１０では、冷媒が流れる部分を太線で表し、冷媒が流れない部分を細線で表している。図１１は、本実施の形態に係る空気調和装置１００の暖房デフロスト同時運転１時におけるＰ−ｈ線図である。図１１中の点（ａ）〜（ｇ）は、それぞれ図１０中の（ａ）〜（ｇ）部での冷媒の状態を示している。図１１では、霜の融点である０℃の等温線を破線で示している。
【００６７】  制御装置３０は、暖房通常運転を行っている際に、並列熱交換器の着霜状態を解消するデフロストが必要と判定し、かつ暖房デフロスト同時運転１を選択した場合、デフロスト対象の並列熱交換器（例えば、並列熱交換器５０−１２）に対応する第１電磁弁８−１２及び第２絞り装置７−１２を全閉にする制御を行う。また、制御装置３０は、デフロスト対象の並列熱交換器５０−１２に対応する第２電磁弁９−１２を開くとともに、第１絞り装置１０−１の開度を予め設定した開度にする制御を行う。これによって、主回路の他に、圧縮機１−１、第１絞り装置１０−１、第２電磁弁９−１２、並列熱交換器５０−１２、第２絞り装置７−１３が順次接続されたデフロスト回路が形成される。一方、並列熱交換器５０−１１は、暖房通常運転と同様に、主回路の蒸発器として動作する。これにより、暖房デフロスト同時運転１が行われる。
【００６８】  本実施の形態の暖房デフロスト同時運転１では、熱源機Ａ−２は、熱源機Ａ−１と対称な運転状態となるように制御される。すなわち、熱源機Ａ−２では、並列熱交換器５０−２１、５０−２２の一方を通るデフロスト回路が形成されるとともに、並列熱交換器５０−２１、５０−２２の他方が主回路の蒸発器として動作する。
【００６９】  暖房デフロスト同時運転１が開始されると、圧縮機１−１から吐出された高温高圧のガス冷媒の一部は、デフロスト配管１５−１に流入し、第１絞り装置１０−１で中圧まで減圧される。このときの冷媒の状態変化は、図１１中の点（ｂ）〜（ｆ）で表される。中圧まで減圧されたガス冷媒は、第２電磁弁９−１２を通り、並列熱交換器５０−１２に流入する。並列熱交換器５０−１２に流入したガス冷媒は、並列熱交換器５０−１２に付着した霜との熱交換により、冷却されて凝縮する。このように、中圧のガス冷媒を並列熱交換器５０−１２に流入させることにより、並列熱交換器５０−１２に付着した霜を中圧冷媒の凝縮潜熱を利用して融かすことができる。このときの冷媒の状態変化は、図１１中の点（ｆ）〜（ｇ）で表される。
【００７０】  ここで、第２絞り装置７−１３は、デフロスト対象の並列熱交換器５０−１２内の中圧冷媒の圧力が、飽和温度換算で、霜の温度（０℃）以上である０℃〜１０℃程度となるように制御される。すなわち、第２絞り装置７−１３は、冷媒としてＲ４１０が用いられる場合、中圧冷媒の圧力が０．８０ＭＰａ〜１．０９ＭＰａとなるように制御され、冷媒としてＲ３２が用いられる場合、中圧冷媒の圧力が０．８１ＭＰａ〜１．１１ＭＰａとなるように制御され、冷媒としてＨＦＯ−１２３４ｙｆが用いられる場合、中圧冷媒の圧力が０．３２ＭＰａ〜０．４４ＭＰａとなるように制御される。
【００７１】  一方、主回路の（ｄ）部における冷媒の圧力（点（ｄ））は、第２絞り装置７−１１の開度を制御することで決まる。
【００７２】  並列熱交換器５０−１２から流出した冷媒は、第２絞り装置７−１３で減圧され、第１接続配管１３−１１で主回路に合流する（点（ｅ））。合流した冷媒は、蒸発器として動作する並列熱交換器５０−１１に流入し、室外空気との熱交換により蒸発する。
【００７３】  なお、熱源機Ａ−２の冷媒の流れは熱源機Ａ−１と同様である。熱源機Ａ−２の冷媒の流れについては、上記記載の「圧縮機１−１」、「デフロスト配管１５−１」、「第１絞り装置１０−１」、「並列熱交換器５０−１２」、「第２絞り装置７−１１」、「第２絞り装置７−１３」等をそれぞれ、「圧縮機１−２」、「デフロスト配管１５−２」、「第１絞り装置１０−２」、「並列熱交換器５０−２２」、「第２絞り装置７−２１」、「第２絞り装置７−２３」等と読み替えればよい。
【００７４】  上述の通り、本実施の形態では、デフロスト対象の並列熱交換器に流入する中圧冷媒の圧力は、飽和温度換算で０℃よりも高くかつ１０℃以下となるように制御される。ここで、中圧冷媒の潜熱を利用するデフロストを最大限活かしつつ、デフロスト中の冷媒の移動を抑え、霜の融けムラをなくすことを考えると、デフロスト対象の並列熱交換器におけるサブクールＳＣの目標値を０Ｋ（冷媒の乾き度は０）とすることが最適である。ただし、サブクールＳＣを演算するために必要な温度センサ及び圧力センサ等の精度を考慮に入れると、サブクールＳＣが０Ｋ〜５Ｋ程度になるように、デフロスト対象の並列熱交換器に流入する中圧冷媒の圧力は、飽和温度換算で０℃よりも高くかつ６℃以下となるように制御されることが望ましい。
【００７５】［暖房デフロスト同時運転２］  暖房デフロスト同時運転２は、暖房通常運転中に、図４のステップＳ５でデフロスト実施条件を満たすと判定された場合（例えば、室外熱交換器５−１、５−２に霜が付いたことを検知した場合）であって、ステップＳ６で暖房デフロスト同時運転２が選択された場合に行われる。
【００７６】  暖房デフロスト同時運転２では、複数台の熱源機Ａ−１、Ａ−２のうちから全面デフロストを行う一部の熱源機（全ての熱源機でなければ複数台の熱源機でも可）を選定し、その他の熱源機では通常の暖房運転を行う。デフロスト対象としてどの熱源機を選定するかによって、第１電磁弁８−１１、８−１２の開閉状態、及び第２電磁弁９−１１、９−１２の開閉状態などが逆になり、並列熱交換器５０−１１と並列熱交換器５０−１２との冷媒の流れが入れ替わるだけで、その他の動作は同様となる。よって、以下の説明では、熱源機Ａ−２の全面デフロストを行いながら熱源機Ａ−１で暖房運転を行う場合について説明する。なお、熱源機の全面デフロストを行う場合には、制御装置３０は、室外空気への放熱を極力低減するために当該熱源機の室外ファンを停止させる。
【００７７】  図１２は、本実施の形態に係る空気調和装置１００の暖房デフロスト同時運転２時における冷媒の流れを示す図である。図１２では、冷媒が流れる部分を太線で表し、冷媒が流れない部分を細線で表している。図１３は、本実施の形態に係る空気調和装置１００の暖房デフロスト同時運転２時におけるＰ−ｈ線図である。図１３中の点（ａ）〜（ｈ）は、それぞれ図１２中の（ａ）〜（ｈ）部での冷媒の状態を示している。図１３中の点（ａ）〜（ｅ）は、熱源機Ａ−１及び室内機Ｂ、Ｃにより形成される主回路のサイクルを表しており、点（ｆ）〜（ｈ）は、熱源機Ａ−２により形成されるデフロスト回路のサイクルを表している。図１３では、霜の融点である０℃の等温線を破線で示している。
【００７８】  制御装置３０は、暖房通常運転を行っている際に、並列熱交換器の着霜状態を解消するデフロストが必要と判定し、かつ暖房デフロスト同時運転２を選択した場合、デフロスト対象の熱源機（本例では、熱源機Ａ−２）の並列熱交換器５０−２１、５０−２２の一方（本例では、並列熱交換器５０−２１）に対応する第１電磁弁８−２１と、並列熱交換器５０−２１、５０−２２の双方に対応する第２絞り装置７−２１、７−２２と、を全閉にする制御を行う。また、制御装置３０は、一方の並列熱交換器５０−２１に対応する第２電磁弁９−２１を開くとともに、第２絞り装置７−２３の開度を全開にする制御を行う。さらに、制御装置３０は、圧縮機１−２の吐出圧力（例えば、圧力センサ２１−２２の検出圧力）が第１延長配管１１−１の圧力（例えば、圧縮機１−１の吐出圧力、圧力センサ２１−１２の検出圧力）を超えないように、第１絞り装置１０−２の開度を制御する。これは、圧縮機１−２の吐出圧力が第１延長配管１１−１の圧力を超えてしまうと、デフロスト回路のサイクルが熱源機Ａ−２内で閉じられなくなり、デフロスト回路から主回路に冷媒が流出してしまうためである。例えば、圧縮機１−２の吐出圧力は、第１絞り装置１０−２の開度が小さくなるほど上昇し、第１絞り装置１０−２の開度が大きくなるほど低下する。
【００７９】  これによって、暖房運転を行う主回路とは切り離された形で、圧縮機１−２、第１絞り装置１０−２、第２電磁弁９−２１、並列熱交換器５０−２１、第２絞り装置７−２３、並列熱交換器５０−２２、第１電磁弁８−２２、冷暖切替装置２−２、アキュムレータ６−２が順次環状に接続されたデフロスト回路が形成される。これにより、暖房デフロスト同時運転２が行われる。
【００８０】  暖房デフロスト同時運転２が開始されると、熱源機Ａ−１及び室内機Ｂ、Ｃにより形成される主回路では、通常の暖房運転が行われる。
【００８１】  一方、熱源機Ａ−２により形成されるデフロスト回路では、以下のように冷媒が流れる。圧縮機１−２から吐出されたガス冷媒（図１３の点（ｇ））は、デフロスト配管１５−２に流入し、第１絞り装置１０−２で減圧される（図１３の点（ｈ））。ここで、圧縮機１−２の吐出圧力が第１延長配管１１−１の圧力よりも低くなるため、圧縮機１−２から吐出されたガス冷媒は、第１延長配管１１−１には流入しない。また、吐出配管１ａ−２には逆止弁１６−２が設けられているため、第１延長配管１１−１から熱源機Ａ−２の吐出配管１ａ−２への高圧冷媒の逆流は生じない。
【００８２】  第１絞り装置１０−２で減圧されたガス冷媒は、並列熱交換器５０−２１、第２絞り装置７−２３、並列熱交換器５０−２２をこの順に通過し、並列熱交換器５０−２１、５０−２２に付着した霜に放熱する。これにより、並列熱交換器５０−２１、５０−２２に付着した霜を融かすことができる。並列熱交換器５０−２１、５０−２２を通過した冷媒は、霜の温度（０℃以下）よりも高い温度まで冷却され、ガス冷媒のままで、又は二相冷媒となって並列熱交換器５０−２２から流出する（図１３の点（ｆ））。並列熱交換器５０−２２から流出した冷媒は、第２接続配管１４−２２、第１電磁弁８−２２、吸入配管１ｂ−２を通ってアキュムレータ６−２に流入する。アキュムレータ６−２からは、温度が０℃よりも少し高くほぼ乾き度１のガス冷媒が圧縮機１−２に吸入される。
【００８３】  デフロスト回路は、冷媒の流れにおいて、第２絞り装置７−２１、７−２２及び逆止弁１６−２により主回路から完全に切り離される。すなわち、デフロスト回路と主回路との間で冷媒の出入りがないため、デフロスト回路で冷媒不足になるのを防ぎつつ運転を継続することができる。また、圧縮機１−２の吸入圧力（図１３の点（ｆ））は、飽和温度換算で霜の融点である０℃程度となる。これにより、圧縮機１−２の吸入圧力が通常の暖房運転の吸入圧力（例えば、圧縮機１−１の吸入圧力（図１３の点（ａ）））よりも高くなり、冷媒密度が増加するため、デフロスト流量を増加させることができ、デフロスト能力を高くすることができる。したがって、デフロストに必ずしも潜熱を利用しないものの、短い時間でデフロストを完了させることができる。また、熱源機Ａ−２には蒸発器として動作する並列熱交換器がないため、室外ファン５ｆ−２を停止させることができる。したがって、外気温度が低い場合であっても、並列熱交換器５０−２１、５０−２２における室外空気への放熱量を抑えることができる。
【００８４】  制御装置３０は、暖房デフロスト同時運転２の実行中に、室外熱交換器５−２と冷暖切替装置２−２との間のガス側配管に設けられた温度センサ２２−２３の検出温度が１０℃程度にまで上昇したら、暖房デフロスト同時運転２を終了する。
【００８５】  なお、図１３に示すように、点（ｆ）〜（ｈ）はいずれもガス領域にある。これにより、暖房デフロスト同時運転２のデフロスト回路では、必要な冷媒量が通常の暖房運転時よりも少なくなるため、余剰冷媒がアキュムレータ６−２に溜まることになる。しかしながら、外気温度が低い場合には、デフロスト運転の開始初期に、並列熱交換器５０−２１、５０−２２で凝縮した冷媒が並列熱交換器５０−２１、５０−２２に溜まってしまうことにより、冷媒が不足してしまう可能性がある。そこで、圧縮機１−２の吸入圧力及び圧縮機１−２の吸入温度（例えば、温度センサ２２−２４の検出温度）に基づいて吸入スーパーヒートを算出し、予め設定された閾値よりも吸入スーパーヒートが大きい場合には第２絞り装置７−２１、７−２２を微小開度で開き、主回路からデフロスト回路に液冷媒が供給されるようにしてもよい。
【００８６】  次に、暖房デフロスト同時運転１及び暖房デフロスト同時運転２の運転特性について、図１４及び図１５を用いて検討する。図１４は、本実施の形態に係る空気調和装置１００における外気温度に対する暖房デフロスト同時運転１の暖房能力を示すグラフである。グラフの横軸は外気温度（℃）を表しており、縦軸は暖房能力を表している。暖房デフロスト同時運転１では、蒸発器として動作する並列熱交換器の外気からの吸熱量と圧縮機入力との和（グラフ中の最も上の破線）が、室内機の暖房能力、デフロスト能力、及び外気への放熱量に分配されることになる。ここで、外気温度が０℃以上の場合には、０℃の霜に外気から熱が与えられるので、外気への放熱量は負の値となる。外気への放熱量が負の値となる場合、当該放熱量の絶対値を外気からの採熱量ということもできる。
【００８７】  外気温度が低下するに従って、蒸発器での外気からの吸熱量は減少する。一方、デフロスト開始時の着霜量は外気温度によらずほぼ一定であるので、グラフ中の灰色部分で示すように、霜を融かすデフロスト能力は外気温度によらずほぼ一定となる。室内機の暖房能力と外気への放熱量との和は、グラフ中の上から２番目の破線で表される。
【００８８】  暖房デフロスト同時運転１では、蒸発器として動作する並列熱交換器で外気から吸熱するために、室外ファン５ｆ−１、５ｆ−２が動作する。このとき、室外ファン５ｆ−１、５ｆ−２により送風される空気は、蒸発器として動作する並列熱交換器だけでなく、デフロスト対象の並列熱交換器にも流れる。このため、並列熱交換器での外気への放熱量（又は外気からの採熱量）は、霜の融点（０℃）と外気温度との温度差が大きくなるほど大きくなる。暖房デフロスト同時運転１における室内機の暖房能力は、蒸発器での外気からの吸熱量と圧縮機入力との和から、デフロスト能力と外気への放熱量とを差し引いた値であるため、グラフ中の太線で表される。
【００８９】  これに対し、暖房デフロスト同時運転２では、例えば２台の熱源機のうちの１台で全面デフロストが行われる。２台の熱源機に同能力の圧縮機が搭載されている場合、冷媒流量は通常の暖房運転時の半分となる。ただし、暖房デフロスト同時運転２では、暖房デフロスト同時運転１と異なり、デフロスト対象となる熱源機の室外ファンは停止する。このため、暖房能力に対する外気温度の影響は、蒸発器での外気からの吸熱量のみとなる。
【００９０】  図１５は、本実施の形態に係る空気調和装置１００における暖房デフロスト同時運転１の暖房能力と暖房デフロスト同時運転２の暖房能力とを示すグラフである。グラフの横軸は外気温度（℃）を表しており、縦軸は暖房能力を表している。図１５に示すように、暖房デフロスト同時運転２の暖房能力の外気温度に対する変化の傾きは、暖房デフロスト同時運転１の暖房能力の外気温度に対する変化の傾きよりも小さい。このため、外気温度が所定の閾値温度よりも低くなると、暖房デフロスト同時運転２の暖房能力の方が暖房デフロスト同時運転１の暖房能力よりも高くなる。閾値温度は、外気温度０℃以下の領域にあり、概ね−１０℃〜−２℃の温度範囲に含まれる。ただし、この閾値温度は、システムの構成により若干異なる場合がある。
【００９１】  そこで、−１０℃〜−２℃の温度範囲内で予め閾値温度を設定しておき、デフロストが必要と判定した場合には、暖房デフロスト同時運転１又は暖房デフロスト同時運転２のいずれかを外気温度に基づいて選択すればよい。例えば、制御装置３０は、暖房通常運転時においてデフロストが必要と判定した場合、外気温度が閾値温度以上であるときには暖房デフロスト同時運転１を実行し、外気温度が閾値温度よりも低いときには暖房デフロスト同時運転２を実行する。
【００９２】  なお、着霜などにより室外熱交換器が閉塞している場合には、吸入圧力が低下する。このため、制御装置３０は、暖房運転時の吸入圧力が予め設定された値よりも低い場合には、暖房デフロスト同時運転２を行うようにしてもよい。
【００９３】  以上のように、本実施の形態では、中圧方式のデフロスト運転を行う際に、冷媒の凝縮潜熱を利用することによって少ない冷媒流量でデフロストを行うことができる暖房デフロスト同時運転１と、室外ファンを停止させることにより外気への放熱量を低減できる暖房デフロスト同時運転２と、のうちの高い暖房能力を確保できる方を選択して実行することができる。したがって、本実施の形態によれば、暖房デフロスト同時運転における暖房能力の低下を抑えることができる。
【００９４】実施の形態２．  本発明の実施の形態２に係る空気調和装置について説明する。図１６は、本実施の形態に係る空気調和装置１０１の構成を示す回路構成図である。図１６に示すように、本実施の形態では、デフロスト対象の並列熱交換器に対する冷媒の入口及び出口が実施の形態１と異なっている。
【００９５】  熱源機Ａ−１において、デフロスト配管１５−１の一端側は吐出配管１ａ−１に接続されており、他端側は分岐して第１接続配管１３−１１、１３−１２のそれぞれに接続されている。
【００９６】  また、熱源機Ａ−１には、デフロスト配管１５−１とは別のデフロスト配管２０−１が設けられている。デフロスト配管２０−１の一端側は、第１接続配管１３−１１のうち暖房通常運転時の冷媒の流れにおいて第２絞り装置７−１１よりも上流側と、第１接続配管１３−１２のうち暖房通常運転時の冷媒の流れにおいて第２絞り装置７−１２よりも上流側と、の双方に接続されている。デフロスト配管２０−１の他端側は、分岐して第２接続配管１４−１１、１４−１２のそれぞれに接続されている。デフロスト配管２０−１には、第２絞り装置７−１３が設けられている。デフロスト配管２０−１の他端側において分岐したそれぞれの配管には、第３電磁弁１８−１１、１８−１２が設けられている。
【００９７】  熱源機Ａ−２は、熱源機Ａ−１と同様の構成を有している。すなわち、熱源機Ａ−２の第３電磁弁１８−２１、１８−２２、デフロスト配管２０−２は、熱源機Ａ−１の第３電磁弁１８−１１、１８−１２、デフロスト配管２０−１にそれぞれ対応している。
【００９８】  図１７は、本実施の形態に係る空気調和装置１０１の暖房デフロスト同時運転１時における冷媒の流れを示す図である。図１７では、冷媒が流れる部分を太線で表し、冷媒が流れない部分を細線で表している。図１８は、本実施の形態に係る空気調和装置１０１の暖房デフロスト同時運転１時におけるＰ−ｈ線図である。図１８中の点（ａ）〜（ｇ）は、それぞれ図１７中の（ａ）〜（ｇ）部での冷媒の状態を示している。
【００９９】  制御装置３０は、暖房通常運転を行っている際に、並列熱交換器の着霜状態を解消するデフロストが必要と判定し、かつ暖房デフロスト同時運転１を選択した場合、デフロスト対象の並列熱交換器（例えば、並列熱交換器５０−１２）に対応する第１電磁弁８−１２及び第２絞り装置７−１２を全閉にする制御を行う。また、制御装置３０は、デフロスト対象の並列熱交換器５０−１２に対応する第２電磁弁９−１２及び第３電磁弁１８−１２を開くとともに、第１絞り装置１０−１の開度を予め設定した開度にする制御を行う。さらに、制御装置３０は、第２絞り装置７−１３から流出した冷媒の圧力が、図１７の（ｄ）部で合流する主回路の冷媒の圧力に近づくように、第２絞り装置７−１３の開度を制御する。
【０１００】  これによって、主回路の他に、圧縮機１−１、第１絞り装置１０−１、第２電磁弁９−１２、並列熱交換器５０−１２、第３電磁弁１８−１２、第２絞り装置７−１３が順次接続されたデフロスト回路が形成される。一方、並列熱交換器５０−１１は、暖房通常運転と同様に、主回路の蒸発器として動作する。これにより、暖房デフロスト同時運転１が行われる。
【０１０１】  本実施の形態の暖房デフロスト同時運転１では、熱源機Ａ−２は、熱源機Ａ−１と対称な運転状態となるように制御される。すなわち、熱源機Ａ−２では、並列熱交換器５０−２１、５０−２２の一方を通るデフロスト回路が形成されるとともに、並列熱交換器５０−２１、５０−２２の他方が主回路の蒸発器として動作する。
【０１０２】  図１９は、本実施の形態に係る空気調和装置１０１の暖房デフロスト同時運転２時における冷媒の流れを示す図である。図１９では、冷媒が流れる部分を太線で表し、冷媒が流れない部分を細線で表している。図２０は、本実施の形態に係る空気調和装置１０１の暖房デフロスト同時運転２時におけるＰ−ｈ線図である。図２０中の点（ａ）〜（ｈ）は、それぞれ図１９中の（ａ）〜（ｈ）部での冷媒の状態を示している。図２０中の点（ａ）〜（ｅ）は、熱源機Ａ−１及び室内機Ｂ、Ｃにより形成される主回路のサイクルを表しており、点（ｆ）〜（ｈ）は、熱源機Ａ−２により形成されるデフロスト回路のサイクルを表している。
【０１０３】  制御装置３０は、暖房通常運転を行っている際に、並列熱交換器の着霜状態を解消するデフロストが必要と判定し、かつ暖房デフロスト同時運転２を選択した場合、デフロスト対象の熱源機（本例では、熱源機Ａ−２）の第２絞り装置７−２１、７−２２及び第３電磁弁１８−２１、１８−２２を全閉にする制御を行う。また、制御装置３０は、第１電磁弁８−２１、８−２２及び第２電磁弁９−２１、９−２２を開く制御を行う。さらに、制御装置３０は、圧縮機１−２の吐出圧力が第１延長配管１１−１の圧力を超えないように、第１絞り装置１０−２の開度を制御する。
【０１０４】  これによって、主回路とは切り離された形で、互いに並列に接続される２つのデフロスト回路が形成される。第１のデフロスト回路には、圧縮機１−２、第１絞り装置１０−２、第２電磁弁９−２１、並列熱交換器５０−２１、第１電磁弁８−２１、冷暖切替装置２−２、アキュムレータ６−２が順次環状に接続される。第２のデフロスト回路には、圧縮機１−２、第１絞り装置１０−２、第２電磁弁９−２２、並列熱交換器５０−２２、第１電磁弁８−２２、冷暖切替装置２−２、アキュムレータ６−２が順次環状に接続される。
【０１０５】  暖房デフロスト同時運転１において、上記実施の形態１の構成では、冷媒の流れと空気の流れとが対向流になっていたが、本実施の形態の構成では、冷媒の流れと空気の流れとが並行流になっている。これにより、空気に放熱した熱を空気の流れにおいて下流側にある霜に与えることができるため、デフロストの効率をより向上させることができる。
【０１０６】  また、暖房デフロスト同時運転２において、上記実施の形態１の構成では、２つの並列熱交換器５０−２１、５０−２２がデフロスト回路において直列に接続されていたが、本実施の形態の構成では、２つの並列熱交換器５０−２１、５０−２２をデフロスト回路において並列に接続することができる。したがって、本実施の形態によれば、デフロストのための冷媒を並列熱交換器５０−２１、５０−２２に並列に流入させることができるため、暖房デフロスト同時運転２における冷媒の圧力損失を減らすことができる。
【０１０７】実施の形態３．  本発明の実施の形態３に係る空気調和装置について説明する。図２１は、本実施の形態に係る空気調和装置１０２の構成を示す回路構成図である。図２１に示すように、本実施の形態では、暖房デフロスト同時運転１において、デフロスト対象の並列熱交換器（例えば、並列熱交換器５０−１２）から流出したデフロスト回路の冷媒と、室内機Ｂ、Ｃから熱源機（例えば、熱源機Ａ−１）に戻った主回路の冷媒とが合流する位置が、実施の形態２と異なる。
【０１０８】  熱源機Ａ−１において、デフロスト配管２０−１の一端側は、第１接続配管１３−１１のうち暖房通常運転時の冷媒の流れにおいて第２絞り装置７−１１よりも下流側と、第１接続配管１３−１２のうち暖房通常運転時の冷媒の流れにおいて第２絞り装置７−１２よりも下流側と、のそれぞれに分岐して接続されている。デフロスト配管２０−１の他端側において分岐したそれぞれの配管には、逆止弁２４−１１、２４−１２が設けられている。逆止弁２４−１１、２４−１２は、デフロスト配管２０−１から第１接続配管１３−１１、１３−１２のそれぞれに向かう冷媒の流れを許容し、第１接続配管１３−１１、１３−１２のそれぞれからデフロスト配管２０−１に向かう冷媒の流れを阻止するものである。
【０１０９】  熱源機Ａ−２は、熱源機Ａ−１と同様の構成を有している。すなわち、熱源機Ａ−２の逆止弁２４−２１、２４−２２は、熱源機Ａ−１の逆止弁２４−１１、２４−１２に対応している。
【０１１０】  本実施の形態では、暖房デフロスト同時運転１において、熱源機Ａ−１の第２絞り装置７−１３で減圧されてデフロスト配管２０−１から流出する冷媒は、第２絞り装置７−１１、７−１２よりも下流側で主回路に合流する。同様に、熱源機Ａ−２の第２絞り装置７−２３で減圧されてデフロスト配管２０−２から流出する冷媒は、第２絞り装置７−２１、７−２２よりも下流側で主回路に合流する。これにより、暖房デフロスト同時運転１時のＰ−ｈ線図は、図１１に示した実施の形態１のＰ−ｈ線図と同様になる。したがって、第２絞り装置７−１３、７−２３の制御性が向上する。
【０１１１】実施の形態４．  本発明の実施の形態４に係る空気調和装置について説明する。図２２は、本実施の形態に係る空気調和装置１０３の構成を示す回路構成図である。図２２に示すように、空気調和装置１０３の冷媒回路には、暖房運転又は冷房運転をそれぞれ独立して選択可能な複数の室内機Ｂ、Ｃが接続されている。すなわち、空気調和装置１０３は、冷暖同時運転が可能な構成を有している。冷媒回路において熱源機Ａ−１、Ａ−２と室内機Ｂ、Ｃとの間には、中継機Ｄが設けられている。なお、室内機の台数が２台以上であれば冷暖同時運転が可能であるため、冷媒回路には３台以上の室内機が並列に接続されていてもよい。
【０１１２】  熱源機Ａ−１、Ａ−２は通常、建物の外に設置される。室内機Ｂ、Ｃは通常、室内に設置される。中継機Ｄは、例えば、熱源機Ａ−１、Ａ−２及び室内機Ｂ、Ｃのいずれからも離れた、建物の機械室などに設置される。熱源機Ａ−１、Ａ−２と中継機Ｄとは、第１延長配管１１−１Ｈ、１１−１Ｌ及び第２延長配管１２−１を介して接続される。中継機Ｄと室内機Ｂとは、第１延長配管１１−２ｂ及び第２延長配管１２−２ｂを介して接続される。中継機Ｄと室内機Ｃとは、第１延長配管１１−２ｃ及び第２延長配管１２−２ｃを介して接続される。なお、第１延長配管１１−１Ｈ、１１−１Ｌ及び第２延長配管１２−１のそれぞれは、熱源機Ａ−１、Ａ−２のそれぞれに対して分岐して接続されている。第１延長配管１１−１Ｈ、１１−１Ｌ及び第２延長配管１２−１のそれぞれの分岐部は、図２２に示すように各延長配管の途中に設けられていてもよいし、熱源機Ａ−１、Ａ−２のいずれか、又は中継機Ｄに収容されていてもよい。
【０１１３】  本実施の形態では、上記実施の形態１〜３と異なり、第１延長配管１１−１が、第１延長配管１１−１Ｈと第１延長配管１１−１Ｌとで構成される。第１延長配管１１−１Ｈは、各圧縮機１−１、１−２の吐出配管１ａ−１、１ａ−２に接続される高圧ガス配管である。第１延長配管１１−１Ｌは、各圧縮機１−１、１−２の吸入配管１ｂ−１、１ｂ−２に接続される低圧ガス配管である。第１延長配管１１−１Ｈ及び第１延長配管１１−１Ｌは、後述する流路切替装置を介して、室内機Ｂ、Ｃのそれぞれのガス側配管に接続されている。第２延長配管１２−１は、上記実施の形態１〜３と同様の液配管である。
【０１１４】  中継機Ｄには、流路切替装置として、切換弁２５−１ｂ、２５−２ｂ、２５−１ｃ、２５−２ｃが収容されている。切換弁２５−１ｂ、２５−２ｂ、２５−１ｃ、２５−２ｃは、制御装置３０の制御によって流路を開閉することにより、各室内機の運転モードを冷房運転及び暖房運転の間で切り換えるものである。
【０１１５】  切換弁２５−１ｂは、第１延長配管１１−１Ｈと第１延長配管１１−２ｂとの間の流路を開閉するものである。切換弁２５−２ｂは、第１延長配管１１−１Ｌと第１延長配管１１−２ｂとの間の流路を開閉するものである。切換弁２５−１ｂが開となり、切換弁２５−２ｂが閉となると、室内機Ｂに接続された第１延長配管１１−２ｂには、圧縮機１−１、１−２から吐出された高圧ガス冷媒が流通する。これにより、室内機Ｂでは暖房運転が行われる。一方、切換弁２５−１ｂが閉となり、切換弁２５−２ｂが開となると、第１延長配管１１−２ｂには、圧縮機１−１、１−２に吸入される低圧ガス冷媒が流通する。これにより、室内機Ｂでは冷房運転が行われる。
【０１１６】  切換弁２５−１ｃは、第１延長配管１１−１Ｈと第１延長配管１１−２ｃとの間の流路を開閉するものである。切換弁２５−２ｃは、第１延長配管１１−１Ｌと第１延長配管１１−２ｃとの間の流路を開閉するものである。切換弁２５−１ｃが開となり、切換弁２５−２ｃが閉となると、室内機Ｃに接続された第１延長配管１１−２ｃには、圧縮機１−１、１−２から吐出された高圧ガス冷媒が流通する。これにより、室内機Ｃでは暖房運転が行われる。一方、切換弁２５−１ｃが閉となり、切換弁２５−２ｃが開となると、第１延長配管１１−２ｃには、圧縮機１−１、１−２に吸入される低圧ガス冷媒が流通する。これにより、室内機Ｃでは冷房運転が行われる。
【０１１７】  本実施の形態では、上記のような構成を備えることにより、実施の形態１〜３と同様の全冷房運転及び全暖房運転に加えて、冷房運転を行う室内機と暖房運転を行う室内機とが同時に存在する冷暖同時運転（例えば、冷房主体運転又は暖房主体運転）を行うことができる。
【０１１８】  室外熱交換器５−１、５−２が蒸発器として動作する全暖房運転及び暖房主体運転では、室外熱交換器５−１、５−２のフィン５ｂに着霜が生じる場合がある。制御装置３０は、全暖房運転の実行中に室外熱交換器５−１、５−２のデフロストが必要と判断した場合には、全暖房運転を継続しながら、実施の形態１〜３と同様に暖房デフロスト同時運転１又は暖房デフロスト同時運転２を実行する。また、制御装置３０は、暖房主体運転の実行中に室外熱交換器５−１、５−２のデフロストが必要と判断した場合には、暖房主体運転を継続しながら、実施の形態１〜３と同様に暖房デフロスト同時運転１又は暖房デフロスト同時運転２を実行する。特に暖房主体運転の実行中には、冷房運転を行う室内機（すなわち、蒸発器として動作して室内空気から吸熱する室内熱交換器を備える室内機）が存在することから、排熱回収運転を行いながら効率良くデフロストを行うことができる。
【０１１９】実施の形態５．  本発明の実施の形態５に係る空気調和装置について説明する。図２３は、本実施の形態に係る空気調和装置１０４の構成を示す回路構成図である。図２３に示すように、空気調和装置１０４の冷媒回路には、暖房運転又は冷房運転をそれぞれ独立して選択可能な複数の室内機Ｂ、Ｃが接続されている。すなわち、空気調和装置１０３は、冷暖同時運転が可能な構成を有している。上記実施の形態４と同様に、冷媒回路において熱源機Ａ−１、Ａ−２と室内機Ｂ、Ｃとの間には、中継機Ｄが設けられている。なお、室内機の台数が２台以上であれば冷暖同時運転が可能であるため、冷媒回路には３台以上の室内機が並列に接続されていてもよい。
【０１２０】  上記実施の形態４及び本実施の形態では、冷暖同時運転時に、暖房運転を行う室内機と冷房運転を行う室内機とが冷媒の流れにおいて互いに直列に接続される。すなわち、冷媒は、暖房運転を行う室内機を通って室内の空気を暖めながら液冷媒に凝縮し、冷房運転を行う室内機を通って室内の空気を冷やしながらガス冷媒に蒸発する。これにより排熱回収を行うことができ、効率よく運転できる。
【０１２１】  ここで、暖房負荷が冷房負荷と圧縮機入力との合計より多い場合は、外気から熱を収集する必要があるため、室外熱交換器は蒸発器として動作する。また、暖房負荷が冷房負荷と圧縮機入力との合計より少ない場合は、外気に熱を放出する必要があるため、室外熱交換器は凝縮器として動作する。
【０１２２】  上記実施の形態４と本実施の形態では、室外熱交換器と、暖房運転を行う室内機及び冷房運転を行う室内機との接続方法が異なる。
【０１２３】  上記実施の形態４では、室外熱交換器が凝縮器として動作する場合、室外熱交換器は暖房運転を行う室内機と並列に接続され、それぞれの熱交換器で凝縮した冷媒が合流し、冷房を行う室内機に供給される。また、室外熱交換器が蒸発器として動作する場合、室外熱交換器は冷房運転を行う室内機と並列に接続され、暖房を行う室内機で凝縮した冷媒が分岐され、冷房を行う室内機と室外熱交換器に供給される。
【０１２４】  これに対し、本実施の形態では、室外熱交換器が凝縮器として動作する場合、室外熱交換器は暖房運転を行う室内機の上流に直列接続され、室外熱交換器と暖房を行う室内機とで凝縮した冷媒が、冷房を行う室内機に供給される。また、室外熱交換器が蒸発器として動作する場合、室外熱交換器は冷房運転を行う室内機の下流に直列接続され、暖房を行う室内機で凝縮した冷媒が、冷房を行う室内機を通った後、室外熱交換器に供給され、蒸発を完了し、圧縮機に吸入される。
【０１２５】  熱源機Ａ−１には、逆止弁１６−１ａ、１６−１ｂ、１６−１ｃ、１６−１ｄが設けられている。逆止弁１６−１ａは、冷暖切替装置２−１と第１延長配管１１−１Ｈとの間を接続する冷媒配管に設けられ、冷暖切替装置２−１から第１延長配管１１−１Ｈに向かう冷媒の流動のみを許容するものである。逆止弁１６−１ｂは、室外熱交換器５−１と第１延長配管１１−１Ｈとの間を接続する冷媒配管に設けられ、室外熱交換器５−１から第１延長配管１１−１Ｈに向かう冷媒の流動のみを許容するものである。逆止弁１６−１ｃは、冷暖切替装置２−１と第１延長配管１１−１Ｌとの間を接続する冷媒配管に設けられ、第１延長配管１１−１Ｌから冷暖切替装置２−１に向かう冷媒の流動のみを許容するものである。逆止弁１６−１ｄは、室外熱交換器５−１と第１延長配管１１−１Ｌとの間を接続する冷媒配管に設けられ、第１延長配管１１−１Ｌから室外熱交換器５−１に向かう冷媒の流動のみを許容するものである。
【０１２６】  室外熱交換器５−１は、冷暖切替装置２−１によって流路が切り替えられることにより、凝縮器又は蒸発器として動作する。上記のように逆止弁１６−１ａ、１６−１ｂ、１６−１ｃ、１６−１ｄが設けられていることにより、室外熱交換器５−１が凝縮器として動作する場合及び室外熱交換器５−１が蒸発器として動作する場合のいずれであっても、第１延長配管１１−１Ｈでは熱源機Ａ−１から中継機Ｅに向かって冷媒が流れ、第１延長配管１１−１Ｌでは中継機Ｅから熱源機Ａ−１に向かって冷媒が流れる。
【０１２７】  熱源機Ａ−２は、熱源機Ａ−１と同様の構成を有している。すなわち、熱源機Ａ−２の逆止弁１６−２ａ、１６−２ｂ、１６−２ｃ、１６−２ｄは、熱源機Ａ−１の逆止弁１６−１ａ、１６−１ｂ、１６−１ｃ、１６−１ｄにそれぞれ対応している。
【０１２８】  中継機Ｅには、第１分岐部Ｅ−１、第２分岐部Ｅ−２及び第３分岐部Ｅ−３が設けられている。第１分岐部Ｅ−１は、第１延長配管１１−１Ｈと、第１延長配管１１−２ｂ、１１−２ｃのそれぞれと、に接続されている。第１分岐部Ｅ−１には、高圧の冷媒が流れる。第２分岐部Ｅ−２は、第１延長配管１１−１Ｌと、第１延長配管１１−２ｂ、１１−２ｃのそれぞれと、に接続されている。第２分岐部Ｅ−２には、低圧の冷媒が流れる。第３分岐部Ｅ−３は、第１分岐部Ｅ−１と、第２分岐部Ｅ−２と、第２延長配管１２−２ｂ、１２−２ｃのそれぞれと、に接続されている。第３分岐部Ｅ−３には、高圧と低圧の間の圧力である中圧の冷媒が流れる。
【０１２９】  第１分岐部Ｅ−１と第３分岐部Ｅ−３とを接続する冷媒配管には、第３絞り装置２６−１が設けられている。第２分岐部Ｅ−２と第３分岐部Ｅ−３とを接続する冷媒配管には、第４絞り装置２６−２が設けられている。第３絞り装置２６−１及び第４絞り装置２６−２は、例えば電子膨張弁により構成されている。第３絞り装置２６−１及び第４絞り装置２６−２は、制御装置３０からの指示に基づいて開度を変化させることができる。第３絞り装置２６−１及び第４絞り装置２６−２は、中継機Ｅに収容されている。
【０１３０】  また、中継機Ｅには、上記実施の形態４と同様の切換弁２５−１ｂ、２５−２ｂ、２５−１ｃ、２５−２ｃが設けられている。
【０１３１】  本実施の形態においても、上記実施の形態４と同様に、室外熱交換器５−１、５−２が蒸発器として動作する全暖房運転及び暖房主体運転では、室外熱交換器５−１、５−２のフィン５ｂに着霜が生じる場合がある。制御装置３０は、全暖房運転の実行中に室外熱交換器５−１、５−２のデフロストが必要と判断した場合には、全暖房運転を継続しながら、実施の形態１〜３と同様に暖房デフロスト同時運転１又は暖房デフロスト同時運転２を実行する。また、制御装置３０は、暖房主体運転の実行中に室外熱交換器５−１、５−２のデフロストが必要と判断した場合には、暖房主体運転を継続しながら、実施の形態１〜３と同様に暖房デフロスト同時運転１又は暖房デフロスト同時運転２を実行する。特に暖房主体運転の実行中には、冷房運転を行う室内機が存在することから、排熱回収運転を行いながら効率良くデフロストを行うことができる。
【０１３２】  以上説明したように、上記実施の形態に係る冷凍サイクル装置は、冷媒を循環させる主回路と、主回路において互いに並列に接続された複数の熱源機Ａ−１、Ａ−２と、複数の熱源機Ａ−１、Ａ−２を制御する制御装置３０と、を備え、複数の熱源機Ａ−１、Ａ−２のそれぞれは、冷媒を圧縮して吐出する圧縮機（例えば、圧縮機１−１）と、少なくとも蒸発器として動作し、冷媒の流れにおいて互いに並列に接続された複数の並列熱交換器（例えば、並列熱交換器５０−１１、５０−１２）と、圧縮機から吐出された冷媒の逆流を阻止する逆止弁（例えば、逆止弁１６−１）と、圧縮機から吐出された冷媒を逆止弁よりも上流側で分岐させ、複数の並列熱交換器のうちの少なくとも一部の並列熱交換器に供給するデフロスト回路（例えば、デフロスト配管１５−１等）と、複数の並列熱交換器を通る冷媒の流路を切り替える第１流路切替装置（例えば、第１電磁弁８−１１、８−１２、第２電磁弁９−１１、９−１２、第２絞り装置７−１１、７−１２、７−１３等）と、を有しており、制御装置３０は、複数の熱源機のうちの少なくとも一部の熱源機（例えば、全ての熱源機Ａ−１、Ａ−２）において、複数の並列熱交換器のうちの一部の並列熱交換器（例えば、並列熱交換器５０−１２、５０−２２）に、圧縮機から吐出された冷媒の一部をデフロスト回路を介して供給するとともに、複数の並列熱交換器のうちの他の並列熱交換器（例えば、並列熱交換器５０−１１、５０−２１）を蒸発器として動作させる第１の暖房デフロスト同時運転（暖房デフロスト同時運転１）と、複数の熱源機のうちの一部の熱源機（例えば、熱源機Ａ−２）において、複数の並列熱交換器のうちの全ての並列熱交換器（例えば、並列熱交換器５０−２１、５０−２２）に、圧縮機から吐出された冷媒をデフロスト回路を介して供給するとともに、複数の熱源機のうちの他の熱源機（例えば、熱源機Ａ−１）において、複数の並列熱交換器のうちの全ての並列熱交換器（例えば、並列熱交換器５０−１１、５０−１２）を蒸発器として動作させて暖房を継続し、一部の熱源機（例えば、熱源機Ａ−２）における圧縮機１−２の吸入圧力が、他の熱源機（例えば、熱源機Ａ−１）における圧縮機１−１の吸入圧力よりも高くなるように運転する第２の暖房デフロスト同時運転（暖房デフロスト同時運転２）と、を切り替えて実行するものである。
【０１３３】  この構成によれば、第１の暖房デフロスト同時運転及び第２の暖房デフロスト同時運転のうち高い暖房能力を確保できる方を選択して実行することができる。したがって、暖房デフロスト同時運転における暖房能力の低下を抑えることができる。
【０１３４】  また、上記実施の形態に係る冷凍サイクル装置において、制御装置３０は、外気温度に基づいて、第１の暖房デフロスト同時運転又は第２の暖房デフロスト同時運転のいずれかを選択するものであってもよい。また、上記実施の形態に係る冷凍サイクル装置において、制御装置３０は、外気温度が予め設定された閾値温度以上である場合には第１の暖房デフロスト同時運転を選択し、外気温度が閾値温度よりも低い場合には第２の暖房デフロスト同時運転を選択するものであってもよい。
【０１３５】  この構成によれば、外気温度に基づいて効率の高い暖房デフロスト同時運転を選択できるため、暖房デフロスト同時運転における暖房能力の低下をより確実に抑えることができる。
【０１３６】  また、上記実施の形態に係る冷凍サイクル装置において、複数の熱源機Ａ−１、Ａ−２のそれぞれは、デフロスト回路（例えば、デフロスト配管１５−１）に設けられ、圧縮機から吐出された冷媒が少なくとも一部の並列熱交換器に供給される前に当該冷媒を減圧する第１絞り装置（例えば、第１絞り装置１０−１）と、第１の暖房デフロスト同時運転において、一部の並列熱交換器から流出した冷媒が主回路に戻る前に当該冷媒をさらに減圧する第２絞り装置（例えば、第２絞り装置７−１３）と、をさらに有していてもよい。
【０１３７】  また、上記実施の形態に係る冷凍サイクル装置において、第１の暖房デフロスト同時運転及び第２の暖房デフロスト同時運転のいずれにおいても、デフロストが行われる並列熱交換器には、圧縮機から吐出された冷媒が第１絞り装置を介して流入するようにしてもよい。また、第１絞り装置や第２絞り装置は、暖房デフロスト同時運転の運転できる外気温度の範囲を限定することで、デフロストの流量及び圧力が所定値になるように流路抵抗をあらかじめ設計しておき、開度制御の不要な毛細管や小型の電磁弁を用いても良い。
【０１３８】  また、上記実施の形態に係る冷凍サイクル装置において、第２の暖房デフロスト同時運転では、一部の熱源機（例えば、熱源機Ａ−２）のデフロスト回路は、逆止弁（例えば、逆止弁１６−２）及び第１流路切替装置（例えば、第２絞り装置７−２２、７−２３）によって他の熱源機（例えば、熱源機Ａ−１）の主回路から切り離されており、第２の暖房デフロスト同時運転において、一部の熱源機の圧縮機から吐出された冷媒は、第１絞り装置（例えば、第１絞り装置１０−２）で減圧された後に全ての並列熱交換器（例えば、直列に接続された並列熱交換器５０−２１、５０−２２）に供給されてもよい。
【０１３９】  また、上記実施の形態に係る冷凍サイクル装置において、第２の暖房デフロスト同時運転では、制御装置３０は、一部の熱源機（例えば、熱源機Ａ−２）の圧縮機の吐出圧力を他の熱源機（例えば、熱源機Ａ−１）の圧縮機の吐出圧力よりも低く制御するものであってもよい。
【０１４０】  第１流路切替装置は、第２絞り装置（例えば、第２絞り装置７−２３）を含んでおり、第２の暖房デフロスト同時運転では、第２絞り装置が閉止されるようにしてもよい。
【０１４１】  また、上記実施の形態に係る冷凍サイクル装置において、第２の暖房デフロスト同時運転では、制御装置３０は、一部の熱源機（例えば、熱源機Ａ−２）の圧縮機の吸入スーパーヒートが予め設定された閾値よりも大きくなった場合、他の熱源機（例えば、熱源機Ａ−１）の主回路から一部の熱源機（例えば、熱源機Ａ−２）のデフロスト回路に液冷媒を戻す制御を行うものであってもよい。
【０１４２】  また、上記実施の形態に係る冷凍サイクル装置において、主回路には、暖房運転又は冷房運転をそれぞれ選択可能な複数の室内機Ｂ、Ｃが接続されており、複数の室内機Ｂ、Ｃのそれぞれに接続されたガス側配管（例えば、第１延長配管１１−２ｂ、１１−２ｃ）は、第２流路切替装置（例えば、切換弁２５−１ｂ、２５−１ｃ、２５−２ｂ、２５−２ｃ）を介して、圧縮機１−１、１−２の吐出配管１ａ−１、１ａ−２及び吸入配管１ｂ−１、１ｂ−２の双方に接続されており、第２流路切替装置は、複数の室内機Ｂ、Ｃのうち暖房運転を選択した室内機に接続されたガス側配管に、圧縮機１−１、１−２から吐出配管１ａ−１、１ａ−２を介して吐出される高圧冷媒を流通させ、複数の室内機Ｂ、Ｃのうち冷房運転を選択した室内機に接続されたガス側配管に、圧縮機１−１、１−２に吸入配管１ｂ−１、１ｂ−２を介して吸入される低圧冷媒を流通させるように流路を切り替えるものであり、制御装置３０は、暖房運転を選択した室内機と冷房運転を選択した室内機とが存在する冷暖同時運転（例えば、暖房主体運転）の実行中において、複数の並列熱交換器のデフロストが必要と判断した場合、冷暖同時運転を継続しながら第１の暖房デフロスト同時運転又は第２の暖房デフロスト同時運転を実行するようにしてもよい。
【０１４３】その他の実施の形態．  本発明は、上記実施の形態に限らず種々の変形が可能である。  例えば、上記実施の形態では、冷房及び暖房の双方を実行できる空気調和装置１００、１０１、１０２を例に挙げたが、少なくとも暖房を実行できる空気調和装置であれば、本発明を適用することができる。
【０１４４】  また、上記実施の形態では、冷凍サイクル装置を備えた空気調和装置１００、１０１、１０２を例に挙げたが、本発明はこれに限られない。本発明の冷凍サイクル装置は、例えば、冷蔵装置又は冷凍装置等の他の装置にも用いることができる。
【０１４５】  また、上記実施の形態では、室外熱交換器５−１、５−２がそれぞれ２つの並列熱交換器に分割された構成を例に挙げたが、室外熱交換器は３つ以上の並列熱交換器に分割されていてもよい。一例として、実施の形態１に係る熱源機Ａ−１の室外熱交換器５−１が４つの並列熱交換器に分割された構成について説明する。
【０１４６】  図２４は、上記実施の形態１に係る熱源機Ａ−１の構成の変形例を示す図である。図２４では、熱源機Ａ−１のうち室外熱交換器５−１及びその近傍の回路構成のみを示している。図２４に示すように、本例の室外熱交換器５−１は、４つの並列熱交換器５０−３１、５０−３２、５０−３３、５０−３４に分割されている。並列熱交換器５０−３１、５０−３２、５０−３３、５０−３４は、冷媒回路において互いに並列に接続されている。並列熱交換器５０−３１、５０−３２、５０−３３、５０−３４には、それぞれ第１接続配管１３−３１、１３−３２、１３−３３、１３−３４が接続されている。第１接続配管１３−３１、１３−３２、１３−３３、１３−３４には、それぞれ第２絞り装置７−３１、７−３２、７−３３、７−３４が設けられている。第１接続配管１３−３１、１３−３２、１３−３３、１３−３４が図２４に示すような位置関係で配列しているとすると、互いに隣り合う第１接続配管同士は、バイパス配管を介して接続されている。第１接続配管のそれぞれにおけるバイパス配管の接続位置は、第２絞り装置と並列熱交換器との間である。バイパス配管には、それぞれ第２絞り装置７−４１、７−４２、７−４３が設けられている。
【０１４７】  このように、室外熱交換器がｎ個（ｎは２以上の整数）の並列熱交換器に分割されている場合には、（ｎ−１）本のバイパス配管と（ｎ−１）個の第２絞り装置とが設けられる。この構成によれば、どの並列熱交換器がデフロスト対象となっても、デフロスト対象の並列熱交換器から流出した冷媒を、デフロスト対象以外の並列熱交換器（蒸発器として動作する並列熱交換器）に流入させることができる。これにより、暖房デフロスト同時運転１において、ｎ個の並列熱交換器を１つずつデフロストすることができる。
【０１４８】  また、上記の各実施の形態や変形例は、互いに組み合わせて実施することが可能である。
【符号の説明】
【０１４９】  １−１、１−２  圧縮機、１ａ−１、１ａ−２  吐出配管、１ｂ−１、１ｂ−２  吸入配管、２−１、２−２  冷暖切替装置、３−ｂ、３−ｃ  室内熱交換器、３ｆ−ｂ、３ｆ−ｃ  室内ファン、４−ｂ、４−ｃ  流量制御装置、５−１、５−２  室外熱交換器、５ａ  伝熱管、５ｂ  フィン、５ｆ−１、５ｆ−２  室外ファン、６−１、６−２  アキュムレータ、７−１１、７−１２、７−１３、７−２１、７−２２、７−２３、７−３１、７−３２、７−３３、７−３４、７−４１、７−４２、７−４３  第２絞り装置、８−１１、８−１２、８−２１、８−２２  第１電磁弁、９−１１、９−１２、９−２１、９−２２  第２電磁弁、１０−１、１０−２  第１絞り装置、１１−１、１１−１Ｈ、１１−１Ｌ、１１−２ｂ、１１−２ｃ  第１延長配管、１２−１、１２−２ｂ、１２−２ｃ  第２延長配管、１３−１１、１３−１２、１３−２１、１３−２２、１３−３１、１３−３２、１３−３３、１３−３４  第１接続配管、１４−１１、１４−１２、１４−２１、１４−２２  第２接続配管、１５−１、１５−２  デフロスト配管、１６−１、１６−２、１６−１ａ、１６−１ｂ、１６−１ｃ、１６−１ｄ、１６−２ａ、１６−２ｂ、１６−２ｃ、１６−２ｄ  逆止弁、１８−１１、１８−１２、１８−２１、１８−２２  第３電磁弁、２０−１、２０−２  デフロスト配管、２１−１１、２１−１２、２１−２１、２１−２２  圧力センサ、２２−１１、２２−１２、２２−１３、２２−１４、２２−２１、２２−２２、２２−２３、２２−２４、２３  温度センサ、２４−１１、２４−１２、２４−２１、２４−２２  逆止弁、２５−１ｂ、２５−１ｃ、２５−２ｂ、２５−２ｃ  切換弁、２６−１  第３絞り装置、２６−２  第４絞り装置、３０  制御装置、３１  選択手段、３２  判定手段、５０−１１、５０−１２、５０−２１、５０−２２、５０−３１、５０−３２、５０−３３、５０−３４  並列熱交換器、１００、１０１、１０２、１０３、１０４  空気調和装置、Ａ−１、Ａ−２  熱源機、Ｂ、Ｃ  室内機、Ｄ  中継機、Ｅ−１  第１分岐部、Ｅ−２  第２分岐部、Ｅ−３  第３分岐部。
【図１】
2017006596.tif 000003
【図２】
2017006596.tif 000004
【図３】
2017006596.tif 000005
【図４】
2017006596.tif 000006
【図５】
2017006596.tif 000007
【図６】
2017006596.tif 000008
【図７】
2017006596.tif 000009
【図８】
2017006596.tif 000010
【図９】
2017006596.tif 000011
【図１０】
2017006596.tif 000012
【図１１】
2017006596.tif 000013
【図１２】
2017006596.tif 000014
【図１３】
2017006596.tif 000015
【図１４】
2017006596.tif 000016
【図１５】
2017006596.tif 000017
【図１６】
2017006596.tif 000018
【図１７】
2017006596.tif 000019
【図１８】
2017006596.tif 000020
【図１９】
2017006596.tif 000021
【図２０】
2017006596.tif 000022
【図２１】
2017006596.tif 000023
【図２２】
2017006596.tif 000024
【図２３】
2017006596.tif 000025
【図２４】
2017006596.tif 000026
【国際調査報告】
2017006596.tif 000027
2017006596.tif 000028
2017006596.tif 000029
2017006596.tif 000030